(57)【特許請求の範囲】
【請求項１】
画像ソースと画像の個々の部位を生成するための複数のマイクロタイルユニットとを有しており、
各マイクロタイルユニットが、内蔵のスクリーンと該スクリーンに前記画像を投影するためのリアプロジェクタとを備えている画像化システムにおいて使用され、連続する隣接マイクロタイルユニットにおいて前記画像の部位間の自動整列、カラーマッチング、および明るさマッチングの少なくとも１つを行う方法であって、
マイクロタイルユニットのうちの別の１つに隣接している前記各マイクロタイルユニットの側壁へと各画像の縁の一部がはみ出すように、前記スクリーンをオーバースキャンし、
前記画像からの光が、前記側壁を通って前記別のマイクロタイルユニットへと漏れるようにし、
前記別のマイクロタイルユニットにおいて、前記光を検出し、
前記別のマイクロタイルユニットにおける前記光の検出に応答して前記画像を調節することにより、前記複数のマイクロタイルユニットの間で前記画像の整列、カラーマッチング、および明るさマッチングの少なくとも１つを行うようにする方法。
【請求項２】
請求項１に記載の方法において、
前記マイクロタイルユニットの個々の１つに対して、その１つの面について他のマイクロタイルユニットの存在を検出し、さらに前記１つのマイクロタイルユニットの当該１つの面に隣接するもう１つの面について他のマイクロタイルユニットの存在を検出し、
前記存在の検出に基づいて、前記マイクロタイルユニットの幾何学的構成に対するマップを生成する方法。
【請求項３】
画像ソースと、
画像の個々の部位を生成するための複数のマイクロタイルユニットと
を有した画像化システムであって、
各マイクロタイルユニットは、
内蔵のスクリーンと、
開口を有する少なくとも１つの表面および光検出器を有している反対側の表面と、
前記スクリーンに前記画像を投影し、各画像の縁の一部が前記開口を通って当該マイクロユニットに隣接する別のマイクロタイルユニットの光検出器へと漏れて当該別のマイクロタイルユニットにおいて検出されるように、前記スクリーンをオーバースキャンするリアプロジェクタと、
前記さらなるマイクロタイルユニットにおける前記光の検出に応答して前記画像を調節することにより、前記複数のマイクロタイルユニットの間で前記画像の整列、カラーマッチング、および明るさマッチングの少なくとも１つを行うようにする制御回路とを有している画像化システム。
【請求項４】
請求項３に記載の画像化システムにおいて、
前記画像ソースは複数であり、当該画像ソースのそれぞれが個々の画像を配布するようになっており、
前記複数のマイクロタイルユニットのそれぞれが、複数のマイクロタイルユニットを或る幾何学的構成へと物理的に一体に組み合わせることができるよう、他の少なくとも１つのマイクロタイルユニットと接続するための少なくとも１つの連結機構を有しており、
前記複数のマイクロタイルのそれぞれが、前記複数の画像ソースから少なくとも１つの画像を受信して、該少なくとも１つの画像の個々の部位を生成することができ、
前記複数のマイクロタイルの第１の部分集合が、第１の画像ソースから受信した第１の画像を表示でき、前記複数のマイクロタイルの少なくとも第２の部分集合が、少なくとも第２の画像ソースから受信した少なくとも第２の画像を表示できる画像化システム。
【請求項５】
請求項４に記載の画像化システムであって、
前記複数の画像ソースのうちの１つが、システムマスターとして指定され、
該システムマスターが、前記第１の画像および前記少なくとも前記第２の画像の前記第１の部分集合および前記少なくとも前記第２の部分集合のそれぞれへの配布を制御でき、前記マイクロタイルで各々生成すべき前記少なくとも１つの画像の個々の部位を示すコマンド信号を前記複数のマイクロタイルのそれぞれへと送信することによって、前記第１の画像および前記少なくとも前記第２の画像の前記第１の部分集合および前記少なくとも前記第２の部分集合のそれぞれへの配布を制御できる画像化システム。
【請求項６】
請求項３に記載の画像化システムにおいて、
前記画像ソースは、
画像を表しているビデオ信号を該画像の個々の部位を生成する前記複数のマイクロタイルユニットへと配布するための、ならびにコマンド信号を送信および受信するための少なくとも１つの信号ポートと、
前記コマンド信号を前記ビデオ信号へと挿入でき、前記コマンド信号を前記ビデオ信号から抽出できる処理ユニットとを有しており、
前記コマンド信号は、自己組織化プロセスにて前記複数のマイクロタイルユニットの幾何学的構成を検出するためのコマンド信号である画像化システム。
【請求項７】
請求項６に記載の画像化システムにおいて、
前記コマンド信号が、
前記マイクロタイルユニットの個々の１つに対して、その１つの面について他のマイクロタイルユニットの存在を検出し、さらに当該１つのマイクロタイルユニットの前記１つの面に隣接するもう１つの面について他のマイクロタイルユニットの存在を検出するようにトリガーできるようになっており、
前記処理ユニットがさらに、前記存在の検出に基づいて前記幾何学的構成のマップを生成することができる画像化システム。
【請求項８】
請求項６に記載の画像化システムにおいて、
プロセッサがさらに、前記自己組織化プロセスの最中に同様の自己組織化プロセスを実行している第２の画像ソースが発生した場合に、前記画像ソースおよび該第２の画像ソースの一方をシステムマスターとして指定して、システムマスターの自己組織化プロセスを優先させるように調停の仕組みを実行できる画像化システム。
【請求項９】
請求項３に記載の画像化システムにおいて、
前記複数のマイクロタイルユニットの各々は、
当該マイクロタイルユニットの他の複数のマイクロタイルユニットに接続して前記複数のマイクロタイルユニットを複数の幾何学的構成に配置できるようにするための少なくとも１つの連結機構と、
個々の通信線によって個々のマイクロタイルユニット間を相互接続するための、および画像を表している少なくとも１つのビデオ信号を少なくとも１つの画像ソースから受信するための少なくとも１つの信号ポートと、
前記複数のマイクロタイルのうちの他のマイクロタイルユニットおよび前記少なくとも１つの画像ソースとの通信を可能にする回路と、
前記画像の個々の部位を生成するための前記画像ソースの処理ユニットと通信する光エンジンとを有している画像化システム。
【請求項１０】
請求項９に記載の画像化システムにおいて、
前記回路が、画像のキャプチャ、リサイズ、カラーマッチング、エッジブレンディング、および幾何学的補正のうちの少なくとも１つを行うために、マイクロプロセッサ、フレームバッファ、およびビデオ処理を備えている画像化システム。
【請求項１１】
請求項９又は１０に記載の画像化システムにおいて、
前記回路が、コマンドメッセージを画像を表すビデオ信号へとエンコードし、画像を表しているビデオ信号からコマンドメッセージをデコードするための回路を備えている画像化システム。
【請求項１２】
請求項９〜１１のいずれか一項に記載の画像化システムにおいて、
前記回路が、前記複数のマイクロタイルユニットのうちの複数の隣接するマイクロタイルユニット間で前記画像のエッジブレンディングを行うための回路を備えている画像化システム。
【請求項１３】
請求項９に記載の画像化システムにおいて、
前記少なくとも１つの連結機構が、おおむね筒状の相補形状をした雄部分および雌部分を有し、雄部分および雌部分は相補形状をしたねじ山を有している画像化システム。
【請求項１４】
請求項９に記載の画像化システムにおいて、
前記少なくとも１つの連結機構が、前記マイクロタイルユニットの位置合わせおよび整列を可能にするため、前記マイクロタイルユニットの個々の面に相補形状をした突起およびくぼみを有している画像化システム。
【発明の詳細な説明】
【技術分野】
【０００１】
以下は、広くは画像化システムに向けられており、さらに詳しくは、複合画像を生成すべく画像の個々の部位を生成するための複数のマイクロタイルユニットを有している画像化システムに向けられている。
【背景技術】
【０００２】
情報を表示するために使用される投写型ディスプレイなどの画像化システム（例えば、特許文献１乃至５等参照）について、多数の用途および潜在的用途が存在している。そのような用途として、これらに限られるわけではないが、さまざまな屋内標識（例えば、ショッピングモール、アーケード、など）、運輸標識（例えば、到着／出発時刻、など）、オフィスビルのロビーの標識、制御室、レストランの標識、などが挙げられる。
【特許文献１】米国特許第６，７６０，０７５号公報
【特許文献２】米国特許第４，９７４，０７３号公報
【特許文献３】国際公開ＷＯ２００６／１１５８５２号公報
【特許文献４】米国特許第５，１３６，３９０号公報
【特許文献５】米国特許第６，１１５，０２２号公報
【発明の開示】
【発明が解決しようとする課題】
【０００３】
投写型ディスプレイ業界において現時点で支配的な理論的枠組みは、改善が、より高い分解能におけるより大きな光パワー（ルーメン）、および徐々に低下するコストに基づかなければならないというものである。この理論的枠組みは、より大きな表示を最小限の数のプロジェクタを使用して容認できる画像の品質および明るさにて生み出すために、より高い分解能およびより大きなパワーが必要であるという考え方に基づいている。この理論的枠組みは、この業界のよき助けとなっているが、より高い分解能に係るかなりのコスト、光バルブ／パネルの設計に起因するプロジェクタの分解能の限界、高出力の照明に対応するために必要になる冷却システムに係る重量の増加、コストの上昇、および騒音レベルの上昇、などといったいくつかの欠点を有している。
【０００４】
さらに、現時点で支配的な理論的枠組みは、不変のサイズおよび構成のディスプレイに基づいている。すなわち、多数の小さなディスプレイをアレイに組み合わせることによって大きなディスプレイをもたらすことが知られている（例えば、ＷＯ２００６／１１５８５２（Ｏｓｔｅｎｄｏ）を参照）が、そのような複数の小さなディスプレイから特別にあつらえた形状および寸法のディスプレイを生成することは、提示されていない。
【課題を解決するための手段】
【０００５】
（概要）
本明細書の一態様によれば、複合画像の個々の部位を生成するための複数の小さな投影装置（本明細書において、「マイクロタイル」ユニットと称される）を有している画像化システムが説明される。それぞれのマイクロタイルユニットが、マイクロタイルユニットをさまざまなサイズの多数の幾何学的構成に配置することができるように、少なくとも１つの他のマイクロタイルユニットへの接続のための連結機構を備えている。他の態様においては、マイクロタイルユニットが、任意の形状およびサイズのマイクロタイルユニットのアレイにおいてコマンド信号およびコンテンツの配布を「自己組織化」するための機能を備えている。用語「アレイ」は、本明細書においては、相互接続されたマイクロタイルユニットの任意の配置を意味して広く使用され、複数のマイクロタイルユニットからなる矩形の構成には限定されない。
【０００６】
本明細書において後述される画像化システムは、明るさの改善が、解像度を高めるのではなく必要とされる画素ピッチ（１ｍｍあたりの画素数）にて、きわめて低いコストで、電力の必要性を増すことなく達成（例えば、増加が、ルーメンではなくニトのオーダーである）される新たな理論的枠組みを確立する。
【０００７】
本明細書において説明される画像化システムは、低電力の照明を備える低解像度の（安価な）パネルを使用して、きわめて低いコストの投影ディスプレイを実現する新たな理論的枠組みをもたらす。本明細書において説明されるマイクロタイルユニットは、ほぼ任意のサイズおよび形状の低コストなディスプレイを、画像の品質および明るさを犠牲にすることなく可能にするために、再使用および構成変更が可能である。
【０００８】
さらなる態様および利点は、添付の図面を参照しつつ本明細書においてさらに詳しく後述されて特許請求の範囲に記載されるとおりの構成および動作の詳細にあり、当業者にとって明らかであろう。
【図面の簡単な説明】
【０００９】
以下で、好ましい実施形態の詳細な説明を、以下の図面を参照して詳しく説明する。
【図１】本発明の一実施形態による複数のマイクロタイルユニットを有する例示的な画像化システムのブロック図である。
【図２】１対のブロック状マイクロタイルユニットの前方および後方の斜視図を示している。
【図３Ａ】複合画像を生み出すためのマイクロタイルユニットの例示的な構成を示している。
【図３Ｂ】複合画像を生み出すためのマイクロタイルユニットの例示的な構成を示している。
【図４Ａ】本発明の第２の実施形態による格子状マイクロタイルユニットを示しており、格子状マイクロタイルユニットの前方および後方の図を示している。
【図４Ｂ】本発明の第２の実施形態による格子状マイクロタイルユニットを示しており、表示スクリーンの背面に複合画像を表示するための格子状マイクロタイルユニットのアレイを示している。
【図４Ｃ】図４Ｂのアレイおよびスクリーンの前面の図である。
【図５】格子状マイクロタイルユニットの代替実施形態を示している。
【図６Ａ】それぞれ連続する隣接マイクロタイルユニットにおいて画像の自動整列を達成するためのブロック状マイクロタイルユニットの造作を示す正面図である。
【図６Ｂ】同ブロック状マイクロタイルユニットの造作を示す斜視図である。
【図７】例示的な実施形態によるマイクロタイルユニット、入力モジュール、およびシステムコントローラの構成を示すブロック図である。
【図８】本発明による例示的なマイクロタイルユニットについて、ビデオルーティング／処理モジュールの内部回路を示すブロック図である。
【図９】一実施形態（これに限られるわけではない）による画像化システムのブロック図を示している。
【図１０】一実施形態（これに限られるわけではない）による画像化システムのブロック図を示している。
【図１１】一実施形態（これに限られるわけではない）によるマイクロタイルのブロック図を示している。
【図１２】一実施形態（これに限られるわけではない）によるマイクロタイル光エンジンのブロック図を示している。
【図１３】一実施形態（これに限られるわけではない）によるフロントエンド基板における信号のルーティングの枠組みを示している。
【図１４】一実施形態（これに限られるわけではない）に従い、画像化システムに複数の入力モジュールが存在する場合に、調停の仕組み（これに限られるわけではない）によってシステムマスターを決定するための方法を示している。
【図１５】一実施形態（これに限られるわけではない）による自己組織化の方法を示している。
【発明を実施するための形態】
【００１０】
図１には、直列に接続された複数のマイクロタイルユニットまたは投影ヘッド１をアレイを形成するように組み立てて有している例示的な画像化システムが示されている。ケーブル５が、マイクロタイルユニット１を任意の順序で接続するために使用されている。一実施形態によれば、データおよびコマンドメッセージの伝送のために４組のツイスト線を有しており、コマンドメッセージがビデオ・データ・ストリームのブランキング期間に埋め込まれる標準的なＣＡＴ５のケーブル伝送が使用されている。データの伝送は、好ましくは約５Ｇｐｂｓの速度で行われる。
【００１１】
それぞれのマイクロタイルユニット１は、図７および８を参照してさらに詳しく後述される光エンジンおよび回路（例えば、画像キャプチャ、リサイズ、カラーマッチング、エッジブレンディング、などを提供するためのマイクロプロセッサ、ＲＡＭフレームバッファ、およびビデオ処理を備えている）を有している。隣接のマイクロタイルユニット１からケーブル５を介して受信されたデータがバッファされ、直列接続されている次のマイクロタイルユニット１（あるいは、システム制御ユニット７または入力モジュール９）へと伝送される。ビデオ処理回路は、好ましくは、部分画像のキャプチャおよびリサイズ、カラーマッチング、エッジブレンディング、均一性補正、ならびに２Ｄキーストーニングのためのモジュールを備えている。また、図６Ａおよび６Ｂを参照してさらに詳しく後述されるとおり、色、明るさ、および画像の均一性を、マイクロタイルユニット１間の画像のインテリジェントな自動整列ならびにインテリジェントな明るさおよび色制御を使用して達成することができる。
【００１２】
少なくとも１つのシステム制御／電源ユニット７が、さらに詳しく後述されるとおり、電力（例えば、ＤＣ４８Ｖ）を供給するとともに、相互接続されたマイクロタイルユニット１の構成の自動検出を容易にするために、マイクロタイルユニット１のうちの１つの利用可能なポートへと接続される。典型的には、システム制御／電源ユニット７は、ユーザインターフェイス（図示せず）への少なくとも１つのイーサネット（登録商標）、ＵＳＢ、および／または赤外線ポートを備えており、フルサイズの静止画像を生成し（すなわち、ＳＤ（セキュアデジタル）フラッシュカードからの画像内容を、表示のためにフレームバッファへと転送し）、さらにＯＳＤ（オンスクリーンディスプレイ）のオーバーレイを実現する（ＯＳＤによって、ユーザは、ディスプレイの設定を画面上で確認して変更することができる）。
【００１３】
さらに、少なくとも１つの入力ユニット９が、マイクロタイルユニット１による表示のためのビデオおよび／または画像のソースを提供するために、マイクロタイルユニット１のうちの１つの利用可能なポートへと接続される。好ましくは、入力ユニット９は、インターレースの解除、スケーリング、フレームレートの変換、などといったビデオ処理を実行する。
【００１４】
それぞれのマイクロタイルユニット１は、システム制御／電源ユニット７および入力ユニット９からの電子信号の経路がそれぞれのマイクロタイルユニット１および関連のケーブル５を経由してそれぞれのマイクロタイルユニット１まで延びている限りにおいて、隣のマイクロタイルユニット（あるいは、直列接続されたマイクロタイルユニット１の鎖の任意の場所に接続することができる入力ユニット９またはシステム制御ユニット７）との電子通信のみを必要とする。
【００１５】
図２および３を参照してさらに詳しく後述されるとおり、それぞれのマイクロタイルユニット１を相互接続される隣のマイクロタイルユニット１に対して正確に整列させるために、種々の異なる機械的な連結機構が可能である。
【００１６】
一実施形態によれば、マイクロタイルユニットが、図２に示されているように「ブロック状」のマイクロタイルユニット２１の形態である。連結機構２３によれば、それぞれのマイクロタイルユニットのそれぞれの側面の突起の形状に基づいて、マイクロタイルユニット２１を他のマイクロタイルユニットに対して位置合わせおよび整列させることが可能である。それぞれのマイクロタイルユニット２１の前面は、内蔵のスクリーン２４を有している。小型のリアプロジェクタ（光源、光バルブ、光学系、および関連の電子機器を備えている）が、スクリーン２４へと画像を投影するためにそれぞれのマイクロタイルユニット２１に設けられている。例示的な実施形態によれば、光源がＬＥＤを使用して実現されるが、レーザまたは他の光源の使用も可能であると考えられ、その選択および実現は、当業者の知るところであると考えられる。
【００１７】
１対のＬＥＤ２６および光検出器２８が、さらに詳しく後述されるとおりにマイクロタイルユニット１の自動管理および構成を可能にするために、上面、底面、左側面、および右側面のそれぞれに設けられている。
【００１８】
やはりさらに詳しく後述されるとおり、それぞれのマイクロタイルユニット２１は、図３Ａおよび３Ｂに示されているように、複合画像の一部分（好ましくは、小さな画素ピッチ（１ｍｍ未満）を可能にすべくＳＶＧＡの解像度で）を投影する。マイクロタイルユニット２１が、必ずしも矩形の構成に配置される必要がないため、ディスプレイの設計に関して大いなる柔軟性がもたらされている（図３Ａ）ことに、注目すべきである。
【００１９】
成功した試作品によれば、それぞれのブロック状マイクロタイル２１が、４：３のアスペクト比を有する画像を投影する約４００ｍｍの対角寸法を有しているが、他の寸法およびアスペクト比も考えられる。しかしながら、或る範囲の表示のサイズおよび形状が提供可能であることを、当業者であれば理解できるであろう。図３Ａに示したような屋内ディスプレイにおいては、５００ニトの明るさが十分であると考えられるが、照明源、光学的設計、および画面サイズに応じて、他の明るさも提供可能である。
【００２０】
図４Ａに目を向けると、「格子状」マイクロタイルユニット４１の実施形態実施形態が示されており、図４Ｂおよび４Ｃに示されているとおり、他の格子状マイクロタイルユニットとの接続が可能である。格子状マイクロタイルユニット４１の機能は、図２のブロック状マイクロタイルユニット２１と同様である。しかしながら、格子状マイクロタイルユニット４１には、内蔵のスクリーンは存在していない。筒状の連結機構４３が、相補形状をしたねじ山付きの雄部分４４および雌の連結スリーブ４６によって、隣接するマイクロタイルユニット４１の間の相互接続を可能にしている。小型のリアプロジェクタ４７（光源、光バルブ、光学系、および関連の電子機器を備えている）が、遠隔スクリーン（図４Ｂおよび４Ｃに示されているスクリーン４９など）へと画像を投影するために、それぞれのマイクロタイルユニット４１に設けられている。上述のように、それぞれのマイクロタイルユニット４１が、複合画像の一部分を遠隔スクリーン４９へと投影する。図４Ｂおよび４Ｃは、スクリーン４９へと画像を投影する相互接続された格子状マイクロタイル４１のアレイを示している（図４Ｂは、スクリーン背面への投影を示す図であり、図４Ｃは、スクリーン前面に表示される画像を示している）。
【００２１】
図５は、マイクロタイルユニット４２のさらなる代替実施形態を示しており、ブロック状マイクロタイルユニット２１のように、光エンジンおよび回路ならびに内蔵のスクリーン２４を有する前面を取り入れてなるブロックの形状であるが、図４の格子状マイクロタイルの実施形態のように、筒状の連結機構４３を備えている。他にも多数の構成を採用することが可能である。
【００２２】
すでに軽く触れたとおり、連続する隣接マイクロタイルユニットにわたる画像の自動整列を、ロール、ピッチ、およびヨーによる画像の上方、下方、右方、左方への電子的調節によって達成することができる。これにより、高価な機械的調節の必要性が劇的に低減または除去され、ズーム誤差の簡単な補正がもたらされる。
【００２３】
（ブロック状マイクロタイルユニット２１において使用するための）そのような整列プロセスの１つは、図６Ａおよび６Ｂに示されているように、それぞれの画像（例えば、線６０）の縁のわずかな部分がマイクロタイルユニットの側壁へとはみ出し、光が側壁のピンホール６２を通って（例えば、６１において）こぼれて、隣のスクリーンの小さな開口６５に配置されたセンサ６３によって検出されるよう、スクリーン２４をわずかにオーバースキャンすることを必要とする。はみ出し領域の画像の内容を制御することによって、センサ６３が、画像が適切に整列したことを検出する。これらのピンホール／センサのペアをいくつか使用することによって、キーストーニングを検出して、調節することができる。ピンホール６２を通ってこぼれる光の色強度を検出することによって、システムは、一貫した強度および色のための自動調節を行うことができる。あるいは、センサを投影システムと同じキャビネットに配置し、ブロックそのものの内部での自動整列のみを行うことも考えられる。
【００２４】
（格子状マイクロタイルユニットにおいて使用するための）他の整列プロセスは、連続するマイクロタイルユニットによってスクリーン４９へと投影される画像の一部分を重ならせ、公知のエッジブレンド技法を使用して、画像の部位の間に知覚される境界を除去することを必要とする。そのようなエッジブレンド技法の例が、「Ｓｅａｍｌｅｓｓ  Ｖｉｄｅｏ  Ｄｉｓｐｌａｙ」という名称の米国特許第４，９７４，０７３号、「Ａｄｊｕｓｔａｂｌｅ  Ｍｕｌｔｉｐｌｅ  Ｉｍａｇｅ  Ｄｉｓｐｌａｙ  Ｓｍｏｏｔｈｉｎｇ  Ｍｅｔｈｏｄ  ａｎｄ  Ａｐｐａｒａｔｕｓ」という名称の米国特許第５，１３６，３９０号、「Ｍｅｔｈｏｄ  ａｎｄ  Ａｐｐａｒａｔｕｓ  ｆｏｒ  Ａｄｊｕｓｔｉｎｇ  Ｍｕｌｔｉｐｌｅ  Ｐｒｏｊｅｃｔｅｄ  Ｒａｓｔｅｒ  Ｉｍａｇｅｓ」という名称の米国特許第６，１１５，０２２号、および「Ｍｅｔｈｏｄ  ａｎｄ  Ａｐｐａｒａｔｕｓ  ｆｏｒ  Ｓｅａｍｌｅｓｓ  Ｉｎｔｅｇｒａｔｉｏｎ  ｏｆ  Ｍｕｌｔｉｐｌｅ  Ｖｉｄｅｏ  Ｐｒｏｊｅｃｔｏｒｓ」という名称の米国特許第６，７６０，０７５号に記載されている。
【００２５】
画像の均一性は、注意深い光学的設計および電子的な画像の調節、ならびに（視認の角度、コントラスト、および関連の問題を慎重に検討した）スクリーン設計によって達成できる。これらの要因を注意深く考慮することが、「ホットスポット」を防止し、周囲の光からの反射および望ましくないスクリーン間のばらつきを最小限にしつつ、好ましい複数タイルのディスプレイを達成するために重要である。これを達成するために、「光学」スクリーン設計を使用することが可能である（すなわち、例えば最適な視認条件のために表示画像の質を向上させるべく光の経路を制御するなど、所定の光学的機能を達成するように設計された単一素子または複数素子のリアプロジェクション・スクリーン）。
【００２６】
本発明の重要な態様によれば、マイクロタイルユニット１のアレイが、マイクロタイルユニットの数および構成に基づいて自己組織化を行う。自己組織化および構成の１つの例示的な方法は、システム制御ユニット７の制御のもとで実行されるが、自己組織化および構成を、相互接続されたマイクロタイルユニット１の間の分散プロセスとして実行することも可能である。
【００２７】
マイクロタイルユニット１の自己組織化および構成の例示的な方法は、アドレス割り当て、モジュール識別、およびアレイマッピングという３つの段階を含んでいる。これら３つの段階が完了すると、システム制御ユニット７は、検出されたアレイの形状および大きさに応じて、アレイの全体にわたってコマンド信号および画像内容を配布する目的のために、相互接続されたマイクロタイルユニット１の完全なマップを有している。システム制御ユニット７は、自己組織化プロセスを、起動の手順の一部として開始させる。好ましくは、入力モジュール９およびマイクロタイルユニット１が、ホットプラグに対応しており、必要に応じて自己組織化プロセスへと戻るために、ユーザインターフェイスの選択肢を設けることができる。
【００２８】
アドレス割り当てステップにおいて、システム制御ユニット７は、直列接続されたユニットの「鎖」においてシステム制御ユニット７が接続されている最初の「左方向」のモジュール１（すなわち、図１のユニット１Ａ）へと、「自動アドレス１」コマンドを発する。受信ユニット１Ａは、自身の内部アドレスを「１」に設定することによって応答し、デイジーチェーンで（すなわち、自身の出力ポートへと接続されたケーブルを介して）接続されている次のモジュール（ユニット１Ｂ）へと「自動アドレス２」コマンドを送信する。ユニット１Ｂは、「自動アドレス２」コマンドを受信すると、自身の内部アドレスを「２」に設定し、「自動アドレス３」をユニット１Ｃへと送信する。次いで、ユニット１Ｃが、鎖における次のマイクロタイルユニットを設定し、以下同様である。この方法で、すべてのマイクロタイルユニット１（および、システム制御ユニット７の左側のすべての入力モジュール９）に、固有のＩＤ番号が割り当てられる。
【００２９】
モジュール識別段階において、システム制御ユニット７は、アドレス１、２、３、などのモジュールに自身の身元を明らかにするように要求することによって、システム制御ユニット７へと接続されているモジュールを判断する。上述のように、アドレス割り当て段階において、それぞれのマイクロタイルユニット１Ａ、１Ｂ、など（および、接続されている任意の入力モジュール９）が、固有の識別コードを返すようにプログラムされている。これにより、システム制御ユニット７は、アドレス１、アドレス２、アドレス３、などに何が接続されているかを知ることができる。要求に対する応答がない場合、システム制御ユニット７は、鎖の終わりに達したことを知ることができる。
【００３０】
システム制御ユニット７の左側に接続されたすべてのアイテムについて、アドレスの割り当ておよび識別が完了すると、この自己組織化プロセスの全体が、システム制御ユニットの右側の任意のユニット（マイクロタイルユニット１および／または入力モジュール９）について繰り返され、ここで右側の最初のユニット（すなわち、図１のユニット１Ｆ）には、次の続きのアドレスが割り当てられる。
【００３１】
アレイマッピング段階は、接続されているすべてのマイクロタイルユニット１の間の空間的関係を明らかにするために使用される。図２に関して簡単に説明したように、ＬＥＤ２６および光検出器２８のペアが、マイクロタイルユニット１の各表面に設けられている。アレイマッピング段階の一実施形態によれば、それぞれの個々のマイクロタイルユニット１の上面および左側面のＬＥＤ２６と、それぞれのマイクロタイルユニットの底面および右側面の光検出器２８とが、光検出器がＬＥＤによって発せられる波長を受感するようにペアにされる。ＬＥＤ２６および光検出器２８は、アレイ内の任意の所与のＬＥＤ２６について、このＬＥＤ２６を「視認」できる光検出器２８が１つだけであるよう、マイクロタイルユニットの上面および左側面のＬＥＤが、それぞれ上および左に隣接するマイクロタイルユニットの光検出器に整列するように配置されている。
【００３２】
ＬＥＤ２６および光検出器２８のペアを、シリアル・データ・ケーブル５の代替として、それぞれのモジュール１、７、および９の間でビデオおよびコマンド信号を光学的に通信するために使用することも可能である。
【００３３】
アレイマッピング段階は、システム制御ユニット７がマイクロタイルユニット１Ａに対して上面のＬＥＤ２６を動作させるようコマンドを送信することによって開始される。次いで、システム制御ユニット７は、残りのすべてのマイクロタイルユニット１に対して問い合わせを行い、発光したＬＥＤを検出（すなわち、関連の光検出器２８を介して）できるマイクロタイルユニットがどれかを確かめる。上述したＬＥＤおよび光検出器の整列ゆえ、肯定の応答を返すマイクロタイルユニット１は１つだけである（あるいは、肯定の応答を返すマイクロタイルユニットが存在しない）。これにより、システム制御ユニット７は、どのマイクロタイルユニット（すなわち、ユニット１Ｂ）がユニット１Ａの直上に位置しているのかを知る。次いで、システム制御ユニット７は、マイクロタイルユニット１Ａに対し、上面のＬＥＤ２６をオフにして左側面のＬＥＤ２６を点灯させるように指令する。さらなる問い合わせが、マイクロタイルユニット１Ａのすぐ左に位置するユニットのアドレスを明らかにするために、システム制御ユニット７によってマイクロタイルユニットのアレイへと送信される。肯定の応答を返すマイクロタイルユニットが存在しない場合、システム制御ユニット７は、ユニット１Ａの左側に隣接するユニットが存在せず、したがってアレイにすき間または外縁が存在することを知る。次いで、システム制御ユニット７は、ユニット１Ｂについてこのプロセスの繰り返しを続ける。この手順をアレイ全体について実行することによって、システム制御ユニット７は、アレイが物理的にどのように構成されているのかを正確に示すマップを作り上げる。後に、この情報が、それぞれの個々のマイクロタイルユニットに担当させるべき画像の部位を決定して、その情報をそれぞれのマイクロタイルユニット１へと中継するために、システム制御ユニット７によって使用される。
【００３４】
アレイマッピング段階を、必ずしもＬＥＤおよび光検出器によって実行する必要はないことを、当業者であれば理解できるであろう。例えば、一式の電気接点を使用することも可能（特に、図４の格子状のマイクロタイルの実施形態において）であり、他の同様な物理的検出も、どのユニットが互いに物理的に隣接しているのかを明らかにするために使用することができる。
【００３５】
図７に目を向けると、例示的な実施形態によるマイクロタイルユニット１、入力モジュール９、およびシステムコントローラ７の構成について、電子コンポーネントを示すブロック図が提示されている。それぞれのマイクロタイルユニット１、入力モジュール９、およびシステムコントローラ７には、ビデオおよびコマンド信号について受信、送信、および動作を行うために、ＰＬＤ／ＡＳＩＣ７１およびフレームバッファ７３を有するビデオルーティング／処理モジュール（その詳細は、図８に示されている）が組み込まれている。それぞれのビデオルーティング／処理モジュールの機能回路は、同一であるが、ビデオおよびコマンド信号に対して、マイクロタイルユニット１、入力モジュール９、またはシステムコントローラ７としての「個性」に応じて動作する。すなわち、それぞれのマイクロタイルユニット１のビデオルーティング／処理モジュールは、ＤＶＩコネクタ７９を介して該当の光エンジンへとビデオ信号を伝送するため、デジタル−アナログ変換器（ＤＡＣ）７５およびＤＶＩトランスミッタ７７を有する該当のモザイク表示モジュールと通信する。同様に、それぞれの入力モジュール９は、ＰＣなどといったソースからＤＶＩコネクタ７９を介してビデオ信号を受信するためのＤＶＩレシーバ８１を備えており、それぞれのシステムコントローラ７は、自身のビデオルーティング／処理モジュールを介して他のユニットとコマンド／制御メッセージを交換するためのＣＰＵ８３を備えている。
【００３６】
ビデオ信号は、入力バス８５を介してビデオルーティング／処理モジュールへと入力され、出力バス８７を介してビデオルーティング／処理モジュールから出力される。ＣＰＵコマンド信号は、制御バス８９を介して交換される。
【００３７】
図８に目を向けると、例示的なビデオルーティング／処理モジュールの詳細が示されている。テストパターンブロック１０１が、モジュールの相互接続のテストのためのテスト画像を生成するために使用され、画像の形状補正のための調整などにおいて、助けとして使用される。
【００３８】
クロスポイントスイッチ１０３が、制御ロジック１０５の制御のもとでマルチプレクサとして機能する。制御ロジック１０５が、さらに詳しく後述されるとおり、「マスターモード」または「スレーブモード」のいずれかでビデオルーティング／処理モジュールの動作を制御する。
【００３９】
自動設定ブロック１０７が、ＤＶＩレシーバ８１から入力バス８５を介して入力ビデオ信号を受信し、ビデオフォーマット（例えば、ＶＧＡ、ＸＧＡ、など）の自動検出を実行し、ビデオ信号を隣接するマイクロタイルユニット１での表示のために最適化する。ビデオ信号は、入力ビデオソースのタイミングを内部プロセッサクロック（ＣＬＫ）に同期させるためにＦＩＦＯ１０９へとロードされ、ＦＩＦＯ１０９からクロスポイントスイッチ１０３へと出力される。選択肢として、自動設定ブロック１０７の機能を、ＤＶＩ入力モジュールへと直接取り入れてもよい。
【００４０】
ＰＣＳ（物理符号化副層）ブロック１１１が、ケーブル５、クロスポイントスイッチ１０３、および制御ロジック１０５の信号の間のインターフェイスをもたらす。ＰＣＳブロック１１１は、それぞれのシリアルケーブル５のために、１対のＣＤＲ（クロック・データ・リカバリ）デコーダ回路および１対のシリアル化エンコーダ回路を備えている。ＰＬＬ１１３（位相ロックループ）が、それぞれのデコードおよびエンコード回路へと接続され、多数のシリアル・データ・ストリームの適切な同期をもたらす。次いで、下方のＣＤＲデコーダ回路（Ｓｅｒ１Ｒｘ２およびＳｅｒ２Ｒｘ２）が、コマンド抽出ブロックへと接続される一方で、下方のシリアル化エンコーダ回路が、コマンド挿入ブロックからの信号を受信する。ケーブル５から受信されたパケット化されたデータが、クロスポイントスイッチ１０３へと加えられる前に、データアンパック化ブロックによってアンパックされる。対照的に、クロスポイントスイッチ１０３から受信される信号は、ケーブル５による伝送のために、データパケット化ブロックにおいてパケット化される。
【００４１】
ビデオルーティング／処理モジュールが制御モジュール７の一部を形成する「マスターモード」での動作の場合には、コマンドデータが、ＣＰＵ８３の制御のもとで、それぞれコマンド抽出および挿入ブロックによって、ケーブル５によって運ばれるビデオ信号のビデオブランキング期間から抽出され、データストリームへと挿入される（例えば、８Ｂ１０Ｂエンコーディングを使用して）。ビデオルーティング／処理モジュールがマイクロタイルユニット１または入力モジュール９の一部を形成する「スレーブモード」での動作の場合には、ビデオストリームに埋め込まれたコマンドデータ（例えば、マイクロタイルユニット１の自己組織化および構成において使用される「自動アドレス」コマンド）が、抽出されて制御ロジック１０５へと加えられる。さらに詳しくは、データパケット化およびデータアンパック化ブロックが、８Ｂ１０Ｂ方式でエンコードされたデータブロックとラスター走査ビデオデータ信号方式との間の必要な変換を実行する。
【００４２】
ＣＰＵインターフェイス１１５が、制御ロジック１０５とＣＰＵ８３との間でコマンドを交換する（ビデオルーティング／処理モジュールが制御モジュール７の一部を形成する場合）。レジスタファイル１１７が、制御ロジック１０５のための構成および設定を保存する。
【００４３】
ＯＳＤ（オンスクリーンディスプレイ）モジュール１１９が、種々のマイクロタイルユニット１へと伝送されるビデオデータに、ＣＰＵ８３によって生成されるユーザメニューを重ねる。
【００４４】
３×３のＦＩＲフィルタ１２１が、この技術分野において公知のとおり、キーストーン補正を可能にすべく入力ビデオ信号のアンチエイリアシングを行うために設けられている。さらなるＦＩＲフィルタ１２３が、図６Ａおよび６Ｂに関して上述した整列プロセスから受信される情報に基づいて、バイリニア画像スケーリング（２×２のスカラーフィルタ）および回転（キーストーン補正）を実行する。フレームバッファ７３が、必要とされる画像の一部分を保存し、必要なフィルタ係数をフィルタ１２３へとダウンロードする。スケーリングの後に、フィルタ１２３は、画像の鮮明さを高めるために、出力ビデオ信号についてさらなる高域通過フィルタ操作を実行する（３×３のシャープネスフィルタ）。
【００４５】
フィルタ１２３から出力されるフィルタ処理済みの信号が、カラーマッチング、エッジブレンディング、均一性補正、およびガンマ補正のために、ラインバッファ１２４を介してブロック１２５へと加えられる。カラーマッチングのために、ブロック１２５は、図６Ａおよび６Ｂに関して上述したセンサからの入力に基づいて３×３（ＲＧＢ）の色補正マトリクスを提供し、マイクロタイルユニット１に関する製造公差ならびに照明光源における温度および経年の影響に起因する色差を補正する。エッジブレンディングは、この技術分野において公知のとおり、図４Ａ、４Ｂ、および４Ｃの「格子状」マイクロタイルの実施形態において使用される。同様に、ガンマ補正は、従来どおりの方法で実行される。
【００４６】
出力タイミングブロック１２７が、さまざまなディスプレイの種類およびプログラム可能な出力タイミングに対応するために、さらなるＰＬＬを備えている。
【００４７】
好ましくは、モジュールが、入力または出力のいずれかに設定できる一式のＩＯポートを提供するため、および米国特許第４，６８９，７４０号に記載のＩ２Ｃ（集積回路間）、シリアル・コンピュータ・バス１３３などといった一般的なバスプロトコルをサポートするために、ＧＰＩＯ（汎用入出力）ブロック１２９をさらに備えている。
【００４８】
ＩＲレシーバ１３１が、関連のモジュール１、７、または９を遠隔制御するために設けられている。
【００４９】
ファン１３５が、周知の様相でモジュール（マイクロタイルユニット１、システム制御ユニット７、または入力モジュール９のいずれでも）に冷却をもたらしている。
【００５０】
図示されていないが、ＧＰＩＯ１２９、ＩＲレシーバ１３２、およびＩ２Ｃインターフェイス１３３は、制御ロジック１０５へと接続されている。
【００５１】
当業者であれば、これまでに示した実施形態の説明を検討することによって、変種および代案の実施形態に想到できるであろう。例えば、図１の実施形態は、複数のマイクロタイルユニット１の間で分配されるただ１つの電源７を備えているが、特に小さなマイクロタイルユニット１の構成のために、それぞれのマイクロタイルユニット１に自身の電源を組み込みことができると考えられる。同様に、上述したマイクロタイルユニット１の照明は自己完結であるが、１つ以上の光源からの光を複数のマイクロタイルユニット１へと分配してもよいと考えられる。そのような変種および代案の実施形態は、本明細書の範囲に包含される。
【００５２】
次に、図９に目を向けると、特定の実施形態（本発明が、この実施形態に限られるわけではない）による画像化システム９００のブロック図が示されている。このシステム９００は、図１に示したシステムに類似しており、同様の構成要素は同様の符号（ただし、プライム符号「’」が付されている）を有している。例えば、システム９００のマイクロタイルユニット１’Ａ、１’Ｂ、など（それぞれを、大まかにマイクロタイルユニット１’と称することがあり、すべてをまとめてマイクロタイルユニット１’と称することもある）は、図１のマイクロタイルユニット１と同様である。図１に示したシステムの構成要素とシステム９００の構成要素との間の相違を、以下で説明する。一般に、システム９００は、マイクロタイルユニット１’のアレイと、少なくとも１つの入力モジュール９’と、信号ハーネス５’（例えば、図のケーブル５）と、電源ハーネス９１０とを有している。
【００５３】
信号ハーネス５’は、マイクロタイルユニット１’および入力モジュール９’の間でデータ信号（例えば、ビデオ信号）を伝えることができるようにし、マイクロタイルユニット１’を任意の順序で互いに接続できるようにし、さらにマイクロタイルユニット１’を入力モジュール９’に接続できるようにする複数のケーブルを有している。電源ハーネス９１０は、電力をマイクロタイルユニット１’へと供給できるようにする複数のケーブルを有しており、任意の順序でマイクロタイルユニット１’へと接続され、入力モジュール９’へと接続される。信号ハーネス５’および電源ハーネス９１０は、さらに詳しく後述される。
【００５４】
図１のマイクロタイル１に関して上述したように、マイクロタイルユニット１’は、おおむね自己組織化である。それぞれのマイクロタイルユニット１’は、内蔵の小さなディスプレイユニットおよび少なくとも２つの信号ポート９２０を有しており、信号ハーネス５’を信号ポート９２０へと接続することができる。信号ポート９２０は、おおむね入れ換え可能であり、信号ハーネス５’の接続の順番は重要でない。それぞれの信号ポート９２０は、マイクロタイルユニット１’が接続されたときにシステム９００を通って双方向にデータが流れることができるよう、例えば入力チャネルおよび出力チャネルを介して、双方向のデータの流れを可能にする。いくつかの実施形態においては、それぞれの信号ポート９２０が、ビデオデータ（例えば、ビデオ信号）の双方向の流れを可能にし、それぞれの信号ポート９２０が、５Ｇｂｐｓの入力チャネルおよび５Ｇｂｐｓの出力チャネルを有している。しかしながら、データレートは、特に限定されるものと考えるべきではない。一般に、信号ポート９２０のうちの１つが、アクティブなソースとして指定され、このアクティブなソースに関連付けられたチャネルのデータ（例えば、ビデオ信号）が、マイクロタイルユニット１’に表示される。
【００５５】
さらにマイクロタイルユニット１’は、アクティブリレーとして、鎖の上流および下流の両方向にデータを伝えることができる。これにより、ケーブル布設および信号の減衰の恐れを最小限にしつつ、マイクロタイルユニット１’のアレイの全体へとビデオ信号を確実に分配することができる。
【００５６】
いくつかの実施形態においては、マイクロタイルユニット１’においてマイクロタイルユニット１’の表示面に隣接するそれぞれの面（例えば、上面、底面、左側面、および右側面）が、光検出器を有している（図示されていないが、ブロック状マイクロタイルユニット２１において表示面に隣接する２つの隣接する面のそれぞれが光検出器を有しているブロック状マイクロタイルユニット２１の実施形態についての図２を参照されたい）。一般に、光検出器は、アレイ内の任意の隣接するマイクロタイルユニット１’からの迷光を検出するように整列させられる。この配置構成によって、マイクロタイルユニット１’の自己組織化が上述のように、しかしながら後述のようにシステム９００の入力モジュール９’を使用して可能にされる。
【００５７】
自己組織化から集められる情報によって、個々のマイクロタイルユニット１’は、アレイにおける自身の位置を「理解」する（例えば、それぞれのマイクロタイル１’に、自己組織化の結果としてのアレイデータがもたらされる）。さらに、個々のマイクロタイルユニット１’は、ビデオ信号の特性を「理解」する（例えば、それぞれのマイクロタイル１’が、ビデオ信号を処理することができる）。これら２つの情報を使用して、それぞれのマイクロタイルユニット１’は、主画像のうちの自分自身の部分を選択してサブ画像を生成するために、ビデオ信号内の入力画像を切り取ることができ、次いで自分自身の表示スクリーンを満たすようにサブ画像を拡大することができる。図８のＤＤＲインターフェイスを備えるマイクロタイルユニット１’の実施形態においては、ＤＤＲインターフェイスが、主画像のうちの自分自身の部分を選択してサブ画像を生成し、次いでマイクロタイルユニット１’の表示スクリーンを満たすようにサブ画像を拡大するために、ビデオ信号内の入力画像の切り取りを可能にする。
【００５８】
システム９００は、少なくとも１つの入力モジュール９’を有している。入力モジュール９’は、上述した入力モジュール９と同様であるが、入力モジュール９’は、上述したシステム制御の機能をさらに可能にする。すなわち、入力モジュール９’は、マイクロタイルユニット１’に表示すべきデータ／ビデオ信号／画像のソースとして機能する一方で、自己組織化プロセスを補助する。
【００５９】
入力モジュール９’は、通常は、例えば適切な壁コンセントへと差し込むことができるコネクタなど、適切なコネクタ９２５によって電源へと接続することができる。さらに入力モジュール９’は、電源ハーネス９１０へと接続できるコネクタ９２６を有しており、コネクタ９２６が、コネクタ９２５からの電力を電源ハーネス９１０へと伝えることができるようにし、マイクロタイルユニット１’へと電力を供給する。
【００６０】
いくつかの実施形態においては、入力モジュール９’が、例えば少なくとも１つのデータ入力ポート９３０を介して、これに限られるわけではないが標準的なビデオソースなどのデータソースを、マイクロタイルユニット１’のアレイへと接続できるようにする。これらの実施形態の一部では、入力モジュール９’を、特定的に有効にされた入力ポート９３０を介して、任意の適切な所望の仕様に従って、特定のデータソースをアレイへと接続するように構成することができる。しかしながら、入力ポート９３０の数は特に限定されず、１つのデータ入力ポート９３０からデータ入力ポート９３０の任意の所望の組み合わせまでの範囲であってよい。例えば、いくつかの実施形態においては、少なくとも１つのデータ入力ポート９３０が、ＤＶＩ入力、ＨＤＭＩ入力、ＶＧＡ入力、ＣＶＢＳ入力、Ｓビデオ入力、コンポーネント入力、ＵＳＢ入力、シリアル入力、および／またはイーサネット（登録商標）入力からなる任意の所望の組み合わせを含んでいる。さらに、少なくとも１つのデータ入力ポート９３０および／または少なくとも１つのデータ入力ポート９３０を通って伝えられる任意のデータ／ビデオ信号の構成および／または規格は、特に限定されるわけではなく、実際のところ、当業者であれば想到できる他の放送規格／データ入力ポートの構成が、これらの実施形態の範囲に包含される。例えば、ＳＤＩまたはＨＤＳＤＩなどのビデオおよび／または放送規格が望まれるのであれば、入力モジュール９’を同じ方法で適合させることが可能である。
【００６１】
入力モジュール９’を介してアレイへと接続されるビデオソースの観点からは、マイクロタイルユニット１’のアレイは、ただ１つのビデオモニタのように見えるであろう。さらに、システム９００を、拡張ディスプレイ識別データ（ＥＤＩＤ）をサポートできるようにすることができる。ＥＤＩＤの内容を、当業者にとって公知のとおり、アレイにおけるマイクロタイルユニット１’の配置構成を反映させるべく更新することができ、さらにこれらの実施形態においては、ＥＤＩＤが好ましいビデオ解像度を指定することができる。
【００６２】
いくつかの実施形態においては、入力モジュール９’を、フラッシュメモリまたはハードディスクの再生に合わせて構成することができる。例えば、入力モジュール９’が、あらかじめ描かれた内容（例えば、グラフィック、画像、ビデオ、など）を含んでいるフラッシュメモリカードを有することができる。さらに、入力モジュール９’によって、マイクロタイルユニット１’のアレイを一連のグラフィック、画像、ビデオ、など（例えば、スライドショー）を設定された速度で巡回させることができるようにしてもよい。このような構成は、システム９００を、外部のデータソースを必要とせずにスタンドアロンモードで動作できるようにする。フラッシュメモリカードの内容の更新は、任意の適切な通信規格およびデータ入力ポート９３０（例えば、これらに限られるわけではないが、ＵＳＢ、イーサネット（登録商標）、ＷｉＦｉ、など）によって実行することができる。いくつかの実施形態においては、入力モジュール９’が、記憶媒体（ハードディスク、ＵＳＢメモリ、ＣＦフラッシュ、など）からのビデオのストリーミングを可能にし、あるいはネットワークインターフェイス（イーサネット（登録商標）、ＵＳＢ、ＷｉＦｉ、など）からの圧縮ストリーミングビデオを受け付けることができる。
【００６３】
さらに、入力モジュール９’は、少なくとも１つのデータ入力ポート９３０を介して受信したデータ信号を、マイクロタイルユニット１’での処理および表示に適した出力データ信号へと加工することができる。例えば、入力モジュール９’を、ビデオ信号をマイクロタイルユニット１’での表示に適した出力ビデオ信号へと加工できるようにすることができる。実際、ビデオ処理を入力モジュール９’に集約させることは、システム９００などの画像化システムにおいて通常は存在する入力モジュール１’の数が存在するマイクロタイルユニット１’の数よりも少ないため、好都合であり費用対効果が高い。例えば、特定の実施形態（これに限られるわけではない）においては、１つの入力モジュール９’を、２０ものマイクロタイルユニット１’へと接続することが可能である。しかしながら、入力モジュール９’へと接続できるマイクロタイルユニット１’の数は、特に限定されるものではない。
【００６４】
したがって、入力モジュール９’を、これらに限られるわけではないが色空間変換、ノイズ低減、および／または細部の強調、などといった複数のビデオ処理の特徴を可能にするようにできる。さらに、いくつかの実施形態においては、入力モジュール９’を、縮小および／またはフレームレート変換を可能にするようにできる。さらなる実施形態においては、入力モジュール９’を、特定の用途の画像品質の要件に応じた特定のビデオ処理の特徴の組を備えるように構成することができる。またさらなる実施形態においては、入力モジュール９’を、インターレースのビデオソースのマイクロタイル１’のアレイへの接続を可能にするようにできる。これらの実施形態のいくつかにおいては、入力モジュール９’が、インターレース解除のロジックを可能にする。
【００６５】
したがって、入力モジュール９’は、信号ハーネス５’へと接続されて、出力データ信号をマイクロタイルユニット１’へと分配できる少なくとも１つの信号ポート９３５をさらに有している。いくつかの実施形態においては、出力データ信号がビデオ信号を含んでおり、特定の実施形態（これに限られるわけではない）においては、出力データ信号が、プログレッシブ走査の２４ビットのＲＧＢビデオを含んでいる。いくつかの実施形態においては、上述のとおりのシステム９００におけるデータの流れの双方向の性質ゆえ、少なくとも１つの信号ポート９３５が、さらにマイクロタイルユニット１’のアレイからのデータ信号を受信することができ、マイクロタイルユニット１’のアレイからのデータ信号は、通常は、マイクロタイルユニット１’から受信されるコマンド信号を含んでいる。いくつかの実施形態においては、マイクロタイルユニット１’のアレイからのデータ信号が、後述されるとおり、マイクロタイルユニット１’からのコマンド信号が挿入された出力データ信号を含んでいる。
【００６６】
さらに、入力モジュール９’を、フルサイズ画像の描画が可能であるようにでき、これは、フラッシュカードに保存され、あるいはＵＳＢポートなどの少なくとも１つのデータ入力ポート９３０を通ってダウンロードされるあらかじめ描かれた素材からの低フレームレートの画像の生成を可能にする。
【００６７】
さらに、入力モジュール９’は、物理的または電気的あるいは組み合わせのユーザインターフェイスを有することができる。例えば、特定の実施形態（これに限られるわけではない）においては、入力モジュール９’を、例えばマイクロタイルユニット１’のアレイ、マイクロタイルユニット１’のアレイの所与のマイクロタイルユニット１’、および／または例えばＵＳＢポート、シリアルポート、イーサネット（登録商標）ポート、などを介して入力モジュール９’へと接続された外部の表示装置に、オンスクリーンディスプレイ（ＯＳＤ）を生成できるようにすることができる。
【００６８】
特定の実施形態（これに限られるわけではない）においては、入力モジュール９’が、ユーザ制御のためにＵＳＢ１．２のデバイスポート、シリアルポート、およびイーサネット（登録商標）１０／１００／１０００ポートを有している。システム９００の特徴を、これら３つのポートのいずれかを通じて指定および制御することが可能であってよい。いくつかの実施形態においては、入力モジュール９’が、システム９００の遠隔制御のためにブルートゥース２．１による通信が可能であってよい。
【００６９】
さらなる実施形態においては、入力モジュール９’が、ファームウェアの現場でのアップグレードを可能にするＵＳＢ２．０のホストポートを有している。ＵＳＢ２．０のホストポートは、半静止の表示のためにあらかじめ描かれたコンテンツをダウンロード可能であってよい。あらかじめ描かれたコンテンツは、任意の適切なファイルフォーマット（例えば、ＪＰＥＧ、ＪＰＥＧ２０００、ＴＩＦＦ、ＰＤＦ、など）であってよい。
【００７０】
マイクロタイルユニット１’の間の通信は、通常は、信号ポート９２０および信号ハーネス５’を介して行われ、入力モジュール９’とマイクロタイルユニット１’との間の通信は、信号ポート９３５、信号ポート９２０、および信号ハーネス５’を介して行われる。特定の実施形態（これに限られるわけではない）においては、信号ポート９２０および信号ポート９３５のそれぞれが、シリアル・ビデオ・インターフェイスを有している。上述のように、ビデオ信号／ストリームのブランキング期間の最中に、コマンドを入力モジュール９’および／またはマイクロタイル１’によってビデオストリームへと挿入することができ、別のマイクロタイルユニット１’（例えば、次のマイクロタイルユニット１’）において抽出することができる。ＤＨＣＰを有するＴＣＰ／ＩＰを、個々のマイクロタイルユニット１’の指定を可能にし、さらに特定のマイクロタイルユニット１’へのコマンドの送信を可能にするために、それぞれのマイクロタイルユニット１’に一意のアドレスを割り当てるために使用することができる。
【００７１】
信号ハーネス５’が、マイクロタイルユニット１’間のデータおよびコマンド信号の伝達を可能にするが、マイクロタイルユニット１’の接続の順序は、通常は重要でない。特定の例示的な実施形態においては、マイクロタイルユニット１’が、デイジーチェーンの構成で接続される。図１に示したブロック図が、デイジーチェーン構成の一例を示しているが、任意の順序が、基本的な動作のために同様に容認できると考えられる。いくつかの実施形態においては、複雑な動作モードのために、特定の配線の枠組みが必要とされるかもしれない。例えば、図１０を参照されたい。
【００７２】
いくつかの実施形態においては、信号ハーネス５’が、１００オームの差動インピーダンスの４つのワイヤペアを有しており、５ｍの距離において１ペアにつき２．５Ｇｂｐｓのデータを維持することができる。好ましい実施形態においては、信号ハーネス５’が、万一のケーブルの損傷または喪失の場合に、ユーザが現場にて交換部品を容易に見つけることができるよう、一般的に入手可能な種類である。いくつかの実施形態においては、信号ハーネス５’が、ＣＡＴ５ケーブルおよび／またはクロスオーバーのＣＡＴ６ケーブルを有しているが、他の任意の適切なケーブルも、これらの実施形態の範囲に包含される。
【００７３】
特定の実施形態（これに限られるわけではない）においては、それぞれのマイクロタイルユニット１’が、自身の汎用電源（１１０Ｖ〜２４０Ｖ、５０Ｈｚ／６０Ｈｚ）を有することができる。さらに、電源ハーネス９１０が、１対１の関係で、それぞれのマイクロタイルユニット１’のための少なくとも１つの電源分岐ケーブル９４０を有している。電源分岐ケーブル９４０は、Ｔ字の分岐を形成し、Ｔ字の一端をマイクロタイルユニット１’の背面に差し込むことができる。電源分岐ケーブル９４０の残りの２つの端部によって、電源ハーネス９１０は、他のマイクロタイルユニット１’（例えば、隣のマイクロタイルユニット）とデイジーチェーンを形成することができる。電源分岐ケーブル９４０のそれぞれの枝は、１つの方法でしか接続することができない固有のコネクタを備えることができる（すなわち、電源分岐ケーブル９４０が、ただ１つの構成でのみ設置可能である）。デイジーチェーンに接続できるマイクロタイルユニット１’の数は、特に限定されないが、マイクロタイルユニット１’の電源および／または入力モジュール９’の電源および／またはコネクタ９２５を介して利用できる電力に基づき、限界が存在すると考えられる。また、１つのデイジーチェーン状のマイクロタイルユニット１’の数は、電源分岐ケーブル９４０用として選択されたワイヤの番手、ならびに設置場所の安全規則によっても制限されるであろう。
【００７４】
いくつかの実施形態（これらに限られるわけではない）においては、さらにシステム９００が、少なくとも１つのライン・コード・アダプタ・モジュール（図示せず）を有することができ、１つのライン・コード・アダプタ・モジュールで所与の数のマイクロタイルユニット１’に電力を供給することができる。いくつかの実施形態においては、ライン・コード・アダプタが、デイジーチェーンの最初の電源分岐ケーブルの１つの始発の枝を、標準的な壁コンセントへと差し込むことができるようにする。ライン・コード・アダプタ・モジュールを、利用可能な特定の種類の壁コンセント（例えば、国が異なると壁コンセントの種類も異なる）および壁コンセントを介して利用できる電力のパラメータに合わせて構成できる。いくつかの実施形態においては、ライン・コード・アダプタが、リセット付きの適切なアンペア数（例えば、１２アンペア）の回路遮断器および警報ＬＥＤ表示器を備えることができる。この回路遮断器は、ライン・コード・アダプタへと接続されるマイクロタイルユニット１’が多すぎる場合（すなわち、１つの回路に過剰に多数のマイクロタイルユニット１’が存在する場合）に、作動することができる。ライン・コード・アダプタに、ライン・コード・アダプタへと差し込むことができるマイクロタイルユニット１’の数の制限を説明するユーザインストラクションのラベルを付すことができる。あるいは、入力モジュール９’を、ライン・コード・アダプタの機能を実行できるようにすることが可能である。
【００７５】
特定の実施形態（これに限られるわけではない）においては、最大１２個までのマイクロタイルユニット１’を、システム９００においてデイジーチェーンに接続でき、１２個のマイクロタイルユニット１’ごとに１つのライン・コード・アダプタを備えることができる。
【００７６】
ここで、図１のシステムを参照して上述した自己組織化プロセスに戻ると、システム９００のいくつかの実施形態は、複数の入力モジュール９’を備えることができる（例えば、図１０に示されて後述されるシステム１０００を参照されたい）。さらに、それぞれのマイクロタイルユニット１’およびそれぞれの入力モジュール９’が、マイクロプロセッサを有しており、自己組織化プロセスが、一部にはそれぞれのマイクロタイルユニット１’およびそれぞれの入力モジュール９’における処理に依存して開始される。しかしながら、そのような実施形態においては、例えば起動時にアレイ全体の１つの入力モジュール９’が、システムのマスターとして指定され、他のすべてのユニットは、スレーブ装置として動作する。いくつかの実施形態においては、入力モジュール９’のみが、マスターとして動作することができる。
【００７７】
しかしながら、例えば２つ以上の入力モジュール９’が取り付けられているシステム９００の実施形態など、システム９００の起動時に、複数のシステムマスターがシステム９００に存在してもよい。例えば、起動と終了との間において、入力モジュール９’を追加でき、取り去ることができ、あるいはアレイ内での位置を変更できる。したがって、起動時に、最初にすべての入力モジュール９’をシステムマスターであると仮定して、自己組織化プロセスを開始することができる。しかしながら、どこかの時点において２つのシステムマスターが互いに出会い、したがってシステム９００は、２つの入力モジュール９’の一方のみがシステムマスターとして指定するように調停の仕組みを備えることができる。
【００７８】
次に、図１４に注目すると、一実施形態（これに限られるわけではない）に従い、システム９００などの画像化システムに複数の入力モジュール９’が存在する場合に、調停の仕組み（これらに限られるわけではない）によってシステムマスターを決定するための方法１４００が示されている。方法１４００の説明を容易にするために、方法１４００がシステム９００を使用して実行されると仮定する。また、方法１４００についての以下の説明は、システム９００およびシステム９００の種々の構成要素のさらなる理解につながるであろう。しかしながら、システム９００および／または方法１４００はさまざまであってよく、必ずしも互いに連動して本明細書において説明されるとおりに正確に機能する必要はなく、そのような変種がこれらの実施形態の範囲に包含されることを、理解すべきである。
【００７９】
ステップ１４１０において、第１の入力モジュール９’が、第２の入力モジュール９’に遭遇する。ステップ１４２０において、最後の電源オフの直前において２つの入力モジュール９’のうちの一方がシステムマスターとして動作しており、他方がスレーブとして動作していたならば、ステップ１４３０またはステップ１４４０において、最後のシステムマスターであった入力モジュール９’が、そのままシステムマスターとされる。ステップ１４５０において、両方の入力モジュール９’がシステムマスターであった場合、またはどちらもシステムマスターでなかった場合には、ステップ１４３０またはステップ１４４０において、最新のファームウェアを有する入力モジュール９’がシステムマスターとして指定されるように、ファームウェアのリビジョンに基づいてシステムマスターを指定することができる。両方の入力モジュール９’のファームウェアのバージョンが同じである場合には、ステップ１４６０において、すでに組織化したマイクロタイルユニット１’の数が最も多い入力モジュール９’を、ステップ１４３０またはステップ１４４０においてシステムマスターとして指定することができる。あるいは、ステップ１４７０において、最初に他方の入力モジュール１’を発見した入力モジュール９’が、ステップ１４３０またはステップ１４４０においてシステムマスターとして指定される。他の調停の仕組みも本明細書の範囲に包含されるが、調停の仕組みが特に限定されると考えてはならない。また、ステップ１４２０〜１４７０の順番も、特に限定されると考えてはならず、いくつかの実施形態においては、ステップ１４２０〜１４７０のうちの少なくとも１つが任意であってよく、他の調停の仕組みが使用される。
【００８０】
次に、一実施形態（これに限られるわけではない）による自己組織化の方法１５００を示している図１５に注目する。方法１５００の説明を容易にするために、方法１５００がシステム９００を使用して実行されると仮定する。また、方法１５００についての以下の説明は、システム９００およびシステム９００の種々の構成要素のさらなる理解につながるであろう。しかしながら、システム９００および／または方法１５００はさまざまであってよく、必ずしも互いに連動して本明細書において説明されるとおりに正確に機能する必要はなく、そのような変種がこれらの実施形態の範囲に包含されることを、理解すべきである。
【００８１】
一般に、或る程度詳しく上述したように、自己組織化は、システムマスターによって制御され、３つの段階にて行われる。段階１は、アドレス割り当て（ステップ１５１０）である。段階２は、モジュール識別（ステップ１５１５）である。段階３は、アレイマッピング（ステップ１５２５〜１５６０）である。これら３つの段階が完了すると、システムマスターは、システムを制御するために知る必要があるすべての事柄を知ることになる。いくつかの実施形態においては、さらに入力モジュール９’およびマイクロタイルユニット１’が、ホットプラグ（すなわち、入力モジュール９’および／またはマイクロタイルユニット１’が、起動／自己組織化のあとでアレイへと差し込まれる）のサポートを可能にすることができる。ホットプラグは、新しい構成要素が、例えば自己組織化がすでに行われたか否かを判断するために隣接の構成要素へと信号を送信し、自己組織化がすでに行われている場合に、アレイの少なくとも一部についてさらなる自己組織化を生じさせることによって可能にされる。ホットプラグをサポートする他の方法も、これらの実施形態の範囲に包含される。
【００８２】
アドレス割り当て段階では、ステップ１５１０において、システムマスターが、少なくとも１つの信号ポート９３５のうちの第１の１つへと接続された第１のマイクロタイルユニット１’Ａへと「自動アドレス１」コマンドを発する。受信マイクロタイルユニット１’Ａは、自身の内部アドレスを「１」に設定することによって応答する。次いで、マイクロタイルユニット１’Ａは、「自動アドレス２」コマンドをデイジーチェーンの次のマイクロタイルユニット１’Ｂへと（すなわち、反対側の信号ポート９２０から）送信する。マイクロタイルユニット１’Ｂは、「自動アドレス２」コマンドを受信すると、自身の内部アドレスを「２」に設定し、「自動アドレス３」をマイクロタイルユニット１’Ｃへと送信する。次いで、マイクロタイルユニット１’Ｃが、鎖における次のマイクロタイルユニット１’を設定し、以下同様である。この方法で、システムマスターの片側に接続されたすべてのマイクロタイルユニット１’に、固有のＩＤ番号が割り当てられる。
【００８３】
モジュール識別段階では、ステップ１５１５において、システムマスターが、自身へと何が接続されているかを確認するために調査を行う。これは、アドレス１のマイクロタイルユニット１’に対して自身の身元を明らかにするように要求することによって開始される。それぞれのマイクロタイルユニット１’が、自身の存在を示すことによって応答する。応答するマイクロタイルユニット１’は、他の入力モジュール９’へと接続されている場合には、どの種類の入力モジュール９’が存在するのかを知らせる。さらに、ファームウェアの上位または下位互換の問題において助けとなるよう、リビジョン情報を応答に含ませてもよい。このようにして、システムマスターは、アドレス１に何が接続されているのかを知ることができる。次いで、システムマスターは、アドレス２、３、などからの同じデータを要求する。要求に対する応答がない場合、システムマスターは、鎖の終わりに達したことを知る。
【００８４】
システムマスターの少なくとも１つの信号ポート９３５のうちの第１の１つへと接続されたすべてのマイクロタイルユニット１’について、アドレスの割り当ておよび識別が完了すると、このプロセス（すなわち、ステップ１５１０および１５１５）を、少なくとも１つの信号ポート９３５のうちの第２の１つへと接続されたマイクロタイルユニット１’について繰り返すことができ、ここで、この信号ポート９３５へと接続された第１のマイクロタイルユニット１’Ｅが、順番における次のアドレスを得る。
【００８５】
メッシュマッピング段階が、接続されているすべてのマイクロタイルユニット１’の間の空間的関係を明らかにするために使用される。それぞれのタイルは、光のうちのわずかな部分をタイルの各面（すなわち、上面、底面、左側面、および右側面）に設けられた小さな穴から外へと導くことができる。プロセスは、ステップ１５２５および１５３０において、入力モジュール９’が、マイクロタイルユニット１’Ａに対して例えば上方の漏れ光（例えば、ＬＥＤ）によって上面の穴から外へと光を導くようにコマンドを送信することによって開始される。機械的な設計によって、ただ１つのマイクロタイルユニット１’の光検出器がこの漏れる光を視認できるように保証される。ステップ１５３５において、システムマスターが、取り付けられているすべてのマイクロタイルユニット１’に対し、上面の漏れ光を視認できるかどうかを問い合わせる。ただ１つのマイクロタイルユニット１’が、肯定の応答を返すと考えられる。ここから、システムマスターは、マイクロタイルユニット１’Ａの直上に位置するマイクロタイルユニット１’（例えば、マイクロタイルユニット１’Ｂ）がどれかを知って、マイクロタイル１’Ａと応答してきたマイクロタイル１’との間の空間的関係を、ステップ１５４０においてマッピングすることができる。次いで、システムマスターは、マイクロタイルユニット１’Ａに対し、上面の漏れ光をオフにして、右方の漏れ光などの別の漏れ光をオンにするように指令する（例えば、ステップ１５５０および１５３０）。アレイに対するさらなる問い合わせによって、マイクロタイルユニット１’Ａのすぐ右に位置するユニット（マイクロタイルユニット１’Ｆ）のアドレスが明らかにされる。さらなる２つのコマンドおよび問い合わせによって、マイクロタイルユニット１’Ａの下側および右側のマッピングを行うことができる（すなわち、ステップ１５３０〜１５５０が４つの面のすべてについて繰り返される）。これらの空間にタイルが存在しない場合、すべてのマイクロタイルユニット１’が光が検出されない旨を回答することで、システムマスターは外縁に達したことを知る。
【００８６】
いくつかの実施形態においては、隣り合うマイクロタイルユニット１’を、光および光検出器によってではなく、信号／検出器の組み合わせによって検出することができる。例えば、赤外光を、適切な光検出器と一緒に使用することができる。他の実施形態においては、それぞれのマイクロタイル１’が、マイクロタイル１’を識別する少なくとも１つのＲＦＩＤタグと、隣り合うマイクロタイル１’のＲＦＩＤタグを読み取るために適したＲＦＩＤ読み取り器とを備えることができる。これらの実施形態のいくつかにおいては、それぞれのマイクロタイル１’の各面が、その面を特定するＲＦＩＤタグをその面に組み合わせて有している。これらの実施形態においては、隣り合うマイクロタイル１’を、該当のマイクロタイル１’が発見されるまで隣り合うマイクロタイル１’のタグを読み取るべく他のすべてのマイクロタイル１’を作動させることによって識別でき、したがってステップ１５３０が省略される。
【００８７】
いずれにせよ、４面すべてがマッピングされたならば（すなわち、ステップ１５４５）、システムマスターは、ステップ１５５５においてマイクロタイルユニット１’Ｂへと進み、すべてのマイクロタイル１’がマッピングされるまでプロセスを繰り返す（例えば、システムマスターは、ステップ１５１０からアレイ内のマイクロタイル１’の数を知り、すべてのマイクロタイル１’について問い合わせを終えたときに、ステップ１５６０において問い合わせを停止させる）。いくつかの実施形態においては、例えばマイクロタイル１’Ａに対する相対位置など、マイクロタイル１’Ｂの他のマイクロタイル１’に対する相対位置がすでに明らかになっている場合、マイクロタイル１’Ａの検出は冗長であり、省略することが可能である。この手順をアレイ全体について実行することによって、マイクロタイルユニット１’のアレイが互いにどのように構成されているかを正確に知らせるマップを作り上げることができる。
【００８８】
しかしながら、自己組織化プロセスは、アレイ内のそれぞれのマイクロタイルユニット１’が、少なくとも１つの他のマイクロタイルユニット１’に直接に物理的に接触していることを仮定している。マイクロタイルユニット１’が連続していない場合には、いくつかの実施形態において、設定を、例えばユーザインターフェイスを介してのステップ１５７０におけるユーザの介在によって、あるいは外部のソフトウェアによって、完了させることができる。さらに、いくつかの実施形態においては、ユーザが自動発見の段階において割り出された設定を上書きして、入力画像（グラフィック、静止画像、ビデオ、など）などのデータ信号の任意の部分を任意のマイクロタイルユニット１’へと手動で割り当てることができるようにすることができる。
【００８９】
いくつかの実施形態においては、マイクロタイルユニット１’およびシステムマスター／入力モジュール９’のデイジーチェーンが閉ループとなっている場合に巡回が生じる。そのような実施形態においては、アドレス割り当ての段階において、システムマスターが、ループにおける出発および終了の構成要素となる。これにより、アレイにおいて低コストの冗長が可能になる。構造のデイジーチェーンの性質ゆえ、アレイは、ただ１点の故障の影響を受けやすい。１つのマイクロタイルユニット１’が故障し、あるいは信号ハーネス５’の一部分が故障した場合、後続のすべてのマイクロタイルユニット１’が、信号のソースを失うことになる。デイジーチェーンを閉じてループとすることによって、システムマスターからそれぞれのマイクロタイルユニット１’へと２つの信号および制御経路が存在することになる。１つのマイクロタイルユニット１’が故障した場合に、後続のマイクロタイルユニット１’へと、別の信号経路を通ってアクセスすることができる。
【００９０】
他の実施形態においては、マイクロタイルユニット１’が不注意に入力モジュール９’なしでデイジーチェーン接続された場合に、「ソースなしループ」が生じる。ソースなしループは、信号ハーネス５’が損傷したり、あるいは外れたりした場合にも生じうる。この状況に対処するために、いくつかの実施形態においては、それぞれのマイクロタイルユニット１’が、さらにタイマーを備えており、起動時に、ステップ１５０５において、それぞれのマイクロタイルユニット１’がそれらのタイマーを開始させる。マイクロタイルユニット１’は、ステップ１５０７において、タイムアウト期間が経過するまでにシステムマスターからの通信を受け取らない場合に、ステップ１５０９において、例えば内部のＯＳＤ機能によって適切なエラーメッセージを生成することができる（例えば、文字によるエラーメッセージ付きの赤色画面の点滅が、マイクロタイル１’に表示される）。
【００９１】
次に、特定の実施形態（これに限られるわけではない）による画像化システム９００Ａのブロック図を示している図１０に注目すると、システム９００Ａは、システム９００に類似しており、同様の構成要素には同様の符号が付されている。システム９００Ａは、システム９００Ａが、入力モジュール９’の実施形態と同様の３つの入力モジュール９’Ａ、９’Ｂ、および９’Ｃを有しており、さらにマイクロタイルユニット１’が、ピクチャ−イン−ピクチャ（ＰＩＰ）の構成をサポートする様相で信号ハーネス５’によって接続されている点で、システム９００と相違している。例示的な実施形態においては、データ信号がビデオ信号を含んでいると仮定されるが、ビデオ信号が任意の適切なフォーマットの静止画像、動く画像、グラフィック、ビデオ、などを含んでよいことを、理解できるであろう。
【００９２】
例えば、ビデオの相互接続の仕組みの双方向の性質ゆえ、複数の入力モジュール９’を同時に有効にすることが可能である。すなわち、１つの入力モジュール９’Ａが、鎖の上流（および／または下流）へと１つのデータ信号を送信できる一方で、第２の入力モジュール９’Ｂが、第２のデータ信号を鎖の上流（および／または下流）へと送信できる。システム９００Ａを、第１のデータ信号に基づく画像がマイクロタイル１’の第１の部分集合に表示される一方で、第２のデータ信号に基づく画像がマイクロタイル１’の第２の部分集合に表示されるように、構成することができる。さらに、システム９００が、特定の相互接続の仕組みに鑑み、第３の入力モジュール９’Ｃが第３のデータ信号を鎖の上流（および／または下流）へと送信でき、第３のデータ信号に基づく画像がマイクロタイル１’の第３の部分集合に表示されるよう、多数のＰＩＰウインドウのサポートを可能にしてもよい。
【００９３】
例えば、メッシュマッピングのプロセスから、システムマスターは、アレイの構成ならびにマイクロタイル１’の接続の状態を知ることができる。この情報から、ユーザインターフェイスが、ユーザをＰＩＰの組み合わせの設定へと案内できる。例えば、ひとたび所望のＰＩＰの組み合わせが決定されたならば、ＰＩＰのマッピングの枠組みのデータを、システムマスター（または、システムマスターによるアクセスが可能な他の構成要素）に保存することができ、そのようなＰＩＰのマッピングの枠組みのデータは、個々の異なるデータソースからのそれぞれの所与の画像を表示するマイクロタイル１’の部分集合のそれぞれについて、それら部分集合の個々のマイクロタイル１’の識別子（例えば、アドレス）をそれらの相対位置とともに含んでいる。
【００９４】
図１０に示した配線の枠組みは、やはりＰＩＰの構成を可能にできると考えられるいくつかの可能な配線の枠組みのうちの１つであり、それら可能な配線の枠組みのそれぞれも、これらの実施形態の範囲に包含される。しかしながら、ＰＩＰの構成が不可能である配線の枠組みも存在し、マイクロタイル１’の配線を行うユーザは、マイクロタイル１’の配線を行う前に所望の構成（ＰＩＰ、など）について或る程度の知識を必要とする。したがって、マイクロタイル１’の配線の助けとなるように、システム９００Ａは、適切なＰＩＰを設計するためのアプリケーション（例えば、外部のＰＣ、入力モジュール９’、および／または１つ以上のマイクロタイル１’で実行されるアプリケーション）をさらに備えることができ、このアプリケーションが、配線／相互接続の枠組みを生成し、ユーザは、所望の結果を達成するためにこの枠組みに従うことができる。
【００９５】
さらに図１０は、どのようにシステム９００Ａを複数のＰＩＰをサポートするように構成できるのかについての例（これに限られるわけではない）を示している。この例では、マイクロタイル１’が、３つの入力モジュール９’Ａ、９’Ｂ、および９’Ｃとともにデイジーチェーンに接続されている。自己組織化の際に、入力モジュール９’のうちの１つが、上述のとおりシステムマスターとして指定される。入力モジュール９’Ａが、マイクロタイル１’へとグラフィクスＧ（「動くロゴを有している背景グラフィック」）を供給するように構成され、入力モジュール９’Ｂが、マイクロタイル１’へとビデオ信号Ｖ１（「広告」）を供給するように構成され、入力モジュール９’Ｃが、マイクロタイル１’へとビデオ信号Ｖ２（「ミュージックビデオ」）を供給するように構成されている。ＰＩＰのマッピングの枠組みのデータ、マイクロタイル１’の相対位置についての知識、および入力モジュール９’についての知識から、システムマスターは、グラフィックＧ、ビデオ信号Ｖ１、およびビデオ信号Ｖ２を、それぞれの指定のマイクロタイル１’の部分集合に表示させる。いくつかの実施形態においては、指定のマイクロタイルの部分集合へのデータ信号が、その部分集合のすべてのマイクロタイル１’へと伝えられると、そのデータ信号は、処理のリソースを節約するために、デイジーチェーンの残りのマイクロタイル１’へ伝えられない。
【００９６】
次に、図１１に目を向けると、一実施形態（これに限られるわけではない）によるマイクロタイル１１００のブロック図が示されている。いくつかの実施形態においては、システム９００のマイクロタイルユニット１’が、マイクロタイル１１００からなる。マイクロタイル１１００は、これらに限られるわけではないが、機械的なハウジング１１１０、光学スクリーン１１２０、マイクロタイル光エンジン（ＭＬＥ）１１３０、フロントエンド基板（ＦＥＢ）１１４０、赤外センサ１１５０、少なくとも１つの自動整列センサ１１６０、内部電源１１７０、および冷却システム１１８０（例えば、ファン）、などといったサブシステムを有している。
【００９７】
機械的なハウジング１１１０は、マイクロタイル１１００の他の構成要素を構造的に支持することができる。機械的なハウジング１１１０は、大量での生産性および低コストのために望ましく設計される。機械的なハウジング１１１０は、望ましくは、マイクロタイル１１００の他のすべての構成要素を最小限のねじまたは他の機械部品にて組み立てることができるような造作を取り入れている。さらに、機械的なハウジング１１１０は、例えば図２の連結機構２３、図４Ａの相補形状をしたねじ山付きの雄部分４４および雌の連結スリーブ４６、ならびに／あるいは図５の筒状の連結機構４３など、多数のマイクロタイル１１００を大きなアレイへと容易に組み立てることができるようにするタイル間の支持具を有している。マイクロタイル１１００において、光学スクリーン１１２０に隣接する各面（例えば、左側、右側、上側、下側）が、図１、３Ａ、３Ｂ、４Ｂ、４Ｃ、１０、および１１、などのように複数のマイクロタイル１１００をアレイへと組み上げることができるようにするための（１つ以上の）タイル間の支持具を備えることができる。タイル間の支持具は、マイクロタイル１１００のアレイをスタンドアロンのアセンブリへと組み立てることができるような様相で、互いに結合できる。いくつかの実施形態においては、より大型のアレイのために、アレイの支持を助けるべく外部の支持具をアレイに追加することができる。いくつかの実施形態においては、機械的なハウジング１１１０および／またはタイル間の支持具が、追加のハードウェアを必要とすることなくマイクロタイル１１００を外部の支持具へと接続できるようにする追加の造作（例えば、クリップなど）を備えている。
【００９８】
いくつかの実施形態においては、機械的なハウジング１１１０が、通常は、マイクロタイル１１００を所与の向き（例えば、直立した横長の向き）で動作させることができるように構成される。しかしながら、他の実施形態においては、機械的なハウジング１１１０を、マイクロタイル１１００を他の任意の所望の向きで動作させることができるように構成してもよい。マイクロタイル１１００の他の構成要素を、向きの変化に適合するように構成することができる。特に、マイクロタイル１１００が別の向きにあるときの表示素子（例えば、ＭＬＥ１１３０）の冷却の要件が、冷却システム１１８０を所望の向きにしたがって構成（および／または構成変更）できるような要件であってよい。
【００９９】
しかしながら、マイクロタイル１１００は、通常は、所与の向きにて動作するように設けられる。例えば現場において、所与の向き以外の向きが望まれる場合には、ユーザに、所望の向き／動作を得るべくマイクロタイル１１００を手動で構成するように求めることができる。
【０１００】
さらに、機械的なハウジング１１１０は、構成部品の故障の場合のマイクロタイル１１００の現場での保守に対応することができる。大型のアレイへと組み上げられたとき、アレイ全体または少なくとも大きな一部分を分解しなければ１つのアレイを取り出すことができない可能性がある。それゆえ、機械的なハウジング１１１０が、ユーザがその場でのマイクロタイル１１００の保守を行うことができるようにする。いくつかの実施形態においては、機械的なハウジング１１１０が、ユーザが前方からマイクロタイル１１００の内部へとアクセスできるようにする（すなわち、例えば後述のように光学スクリーン１１２０を取り除くことによって）。他の実施形態においては、機械的なハウジング１１１０が、ユーザが後方（すなわち、光学スクリーン１１２０の面の反対側の面）からマイクロタイル１１００の内部へとアクセスできるようにする。しかしながら、またさらなる実施形態においては、機械的なハウジング１１１０が、マイクロタイルを両端から修理することができるよう、ユーザが前方または後方の両方からマイクロタイル１１００の内部へとアクセスできるようにする。しかしながら、多くの場合には、前方アクセスの設備の数は、後方アクセスの設備の数を凌駕する。したがって、機械的なハウジング１１１０が、故障した構成部品の前方からの交換のための保守性を可能にすることが望ましく、後方からアクセスされたときに実現可能である。
【０１０１】
次に、光学スクリーン１１２０に目を向けると、光学スクリーン１１２０を、マイクロタイル１１００が強い環境光の中で視認されるときの適切な明るさ、コントラスト、および鮮明さを維持する能力、光学スクリーン１１２０の均一性、ならびにグレアの量に基づいて選択することができる。光学スクリーン１１２０の利得を、当業者にとって公知のとおり、所与の視野角に基づいて設定することができる。一般に、広い視野角が望ましい。いくつかの実施形態においては、フレネル素子１１２５を、光学スクリーン１１２０に表示される画像のさらなる改善のために、光学スクリーン１１２０の背後（すなわち、マイクロタイルユニット１１００の内部）に位置させることができる。使用される場合、フレネル素子１１２５は、ＭＬＥ１１３０の投影光学系１１３１におおむね一致させられる。
【０１０２】
投影光学系１１３１、照明光学系、および光学スクリーン１１２０の組み合わせが、マイクロタイルユニット１１００に所与の均一性を与えるように組み合わせられる。いくつかの実施形態においては、均一性が放物線状であり、光学スクリーン１１２０の中央が、縁または角よりも明るい。しかしながら、所与の均一性の程度は、特に限定されないが、均一性の程度が高いことが通常は望ましい。
【０１０３】
いくつかの実施形態においては、均一性を電子的に補正することができる。通常は、マイクロタイル１１００間にばらつきが存在するため、工場での電子校正工程が、これらのばらつきを補償するために使用される。さらに、電子的な校正は、通常は、光学スクリーン１１２０の最も明るい部分を光学スクリーン１１２０の最も暗い部分に一致するように暗くすることを必要とし、これが全体的な明るさを低下させる。
【０１０４】
いくつかの実施形態においては、光学スクリーン１１２０を、機械的なハウジング１１１０から取り外すことができ、これによってユーザは、例えばマイクロタイル１１００をアレイに設置したままで、マイクロタイル１１００の内部にアクセスすることができる。保守性という観点から、ひとたびアレイが組み立てられて環境へと設置されたならば、前部が、マイクロタイル１１００の唯一のアクセス可能部となるであろう。万が一修理の目的のためにマイクロタイル１１００の内部へと達する必要がある場合、多くの場合は、前部の光学スクリーン１１２０が、唯一の入り口となるであろう。しかしながら、着脱可能な光学スクリーン１１２０は、アレイ内の光学スクリーン１１２０間のすき間に影響を及ぼすことなくそのようにすることを可能にする。
【０１０５】
いくつかの実施形態においては、光学スクリーン１１２０の側壁が、すき間の影響を補償するための光パイプを有している。一例（これに限られるわけではない）においては、側壁が透明なプラスチックからなる。これにより、投影される画像をわずかにオーバースキャンにすることができる。画像の最も外側の境界の画素が、側壁を照らし、スクリーンへと案内される。これが、所望の画素に色および強度が近い光ですき間を埋め、黒色の線
が存在する場合に比べて見た目をおおむね継ぎ目なしにする。いくつかの実施形態においては、側壁が丸められた縁および／または面取りされた縁を有し、継ぎ目をより滑らかで目に付きにくいものにしている。
【０１０６】
さらに、光学スクリーン１１２０は、通常は、現場においてユーザが光学スクリーン１１２０に近付いて光学スクリーン１１２０に触れる可能性があるため、丈夫であって指紋に耐えることができる。したがって、光学スクリーン１１２０は、指で押されて損傷を受けることがないよう、指で押されることによる不用意の圧力に対する丈夫さを可能にする。
【０１０７】
さらに、光学スクリーン１１２０は、市販のクリーニング製品による清掃を可能にしている。したがって、光学スクリーン１１２０が、イソプロピルアルコール、アンモニア、エチレングリコール、などといった溶媒によって損傷しうるコーティングを外表面に持たないよう、溶媒に耐える前面（任意のコーティングを含む）を有することが望ましいと考えられる。
【０１０８】
次に、図１２に目を向けると、例示的な実施形態（これに限られるわけではない）によるＭＬＥ１１３０のブロック図が示されている。いくつかの実施形態においては、例えば第三者によってマイクロタイル１１００の他の構成要素とは別個に製作されるＭＬＥ１１３０を、後にマイクロタイル１１００へと挿入することができるよう、ＭＬＥ１１３０が、スタンドアロンのブロックを構成している。いくつかの実施形態（これらに限られるわけではない）においては、ＭＬＥ１１３０がＤＬＰ技術に基づいているが、他の種類のディスプレイ技術も、当業者の容易に想到するところであって、本明細書の範囲に包含される。
【０１０９】
特定の例示的な実施形態（これに限られるわけではない）においては、ＭＬＥ１１３０が、タイプＹのパッケージの０．５５インチのＳＶＧＡのＤＭＤ１１３２を備えている。いくつかの実施形態においては、ＭＬＥ１１３０が、ＤＭＤ１１３２を駆動するためのＤＤＰ２２３０チップセット（または、他の任意の適切なチップセット）をさらに有している。さらに、ＭＬＥ１１３０は、照明源および照明光学系（ならびに、いくつかの実施形態においてはＴＩＲ（全反射）プリズム）を有しており、照明源は、例示的な実施形態においては、例えば組み合わせによってＤＭＤ１１３２を照らすことができる３つの別個独立に制御されるＬＥＤ（赤色ＬＥＤ、緑色ＬＥＤ、および青色ＬＥＤ）を有している。さらに、ＭＬＥ１１３０は、照明源のための駆動回路１２１０を有している。ＬＥＤ以外の照明源も、当業者の容易に想到するところであり、これらの実施形態の範囲に包含される。例えば、いくつかの実施形態においては、照明源が、少なくとも１つのレーザを備えることができる。さらにＭＬＥ１１３０は、照明源の光強度を測定できる光センサ１１３４を有している。
【０１１０】
ＭＬＥ１１３０は、例示的な実施形態においては、２つの入力コネクタ、すなわちＤＣ電源用の電源コネクタ１２１５（電源１１７０への接続を可能にする）およびビデオ信号および制御を受け取るためのソースコネクタ１２１６（ＦＥＢ１１４０への接続を可能にする）をさらに有している。
【０１１１】
例示的な実施形態においては、電源１１７０（図１１を参照）は、通常は、＋１２Ｖの幹線および−１２Ｖの幹線という２つの幹線を有している。ＭＬＥ１１３０は、これらの幹線から例えばＤＣ−ＤＣ変換器１２２０によって内部で導出する電力で、自身の電子機器および光源を動作させることができる。
【０１１２】
ＭＬＥ１１３０は、例示的な実施形態においてはフラットパネル・ディスプレイ・リン
ク規格を使用することができるビデオインターフェイス１１３３を有している。ＦＥＢ１１４０からの出力ビデオは、通常は２４ビットカラー（各色につき８ビット）であり、ビデオおよび同期が、４つの差動ＬＶＤＳペアへとシリアルにエンコードされる。さらに、ビデオインターフェイス１１３３は、差動ＬＶＤＳ信号として供給される画素クロック（ＴｘＣｌｋ）を有している。ＭＬＥ１１３０は、この信号を標準的な２４ビットビデオへとデコードし、ＤＭＤ１１３２へと提示することができる（すなわち、ＤＤＰ２２３０  ＡＳＩＣを介して）。これに対応するレシーバの例として、これに限られるわけではないが、Ｎａｔｉｏｎａｌ  Ｓｅｍｉｃｏｎｄｕｃｔｏｒ社の部品番号ＤＳ９０ＣＦ３８４が挙げられる。いくつかの実施形態においては、ＭＬＥ１１３０を、ＵＡＲＴインターフェイスを使用してＦＥＢ１１４０によって制御することができる。さらに、リセット（ＲＥＳＥＴ）信号および電源良（ＰＷＲ＿ＧＯＯＤ）信号を、ＦＥＢ１１４０によってもたらすことができる。
【０１１３】
例示的な実施形態においては、ＭＬＥ１１３０が、単一チップＤＬＰ技術に基づいており、したがって各色（すなわち、ＬＥＤ）が、ＤＭＤ１１３２上に表示されるデータに同期して順にオン／オフされる。この順序のタイミングは、ＭＬＥ  ＡＳＩＣによって生成される（例えば、ＭＬＥ  ＡＳＩＣが、ビデオインターフェイス１１３３を有している）。ＭＬＥ１１３０が、８倍のＲＧＢフィールドレートをサポートすることが望ましい。
【０１１４】
各ＬＥＤの駆動レベルを、Ｉ２Ｃ  ＤＡＣによって設定することができる。これらの実施形態においては、Ｉ２ＣマスターがＤＭＤ１１３２（すなわち、ＤＤＰ２２３０）であり、Ｉ２Ｃバスが、ＵＡＲＴインターフェイスを介してＦＥＢ１１４０にとって利用可能でなければならない。
【０１１５】
照明光学系が、ＬＥＤ（または、レーザ）の出力を合成し、光をＤＭＤへと集中させる。いくつかの実施形態においては、照明光学系がテレセントリックな設計を有しており、照明システムが、オン状態およびオフ状態の光を分離するために、プリズムまたは対物レンズ１２５０をさらに有することができる。投影光学系１１３１によって、画像の焦点を光学スクリーン１１２０に合わせることができる。
【０１１６】
これに限られるわけではないが、通常はマイクロタイル１１００が薄いことが望ましく、したがって、いくつかの実施形態においては、投影光学系１１３１が、短焦点レンズ１２５５、特に超短焦点レンズ（例えば、約０．５：１の焦点比を有する）を、画像を光学スクリーン１１２０へと直接投影するように配置して有している。さらなる実施形態においては、投影光学系１１３１が、より長焦点のレンズ（例えば、約０．８：１の焦点比を有する）をフォールドミラーに組み合わせて有している。いくつかの実施形態においては、ミラーのサイズを最小限にし、整列を保証するために、フォールドミラーをレンズの中に作り込むことができる。
【０１１７】
次に、図１３に目を向ける（さらに、図１１を参照する）と、一実施形態（これに限られるわけではない）によるＦＥＢ１１４０における信号のルーティングの枠組みが示されている。ＦＥＢ１１４０は、これに限られるわけではないが、例えばストラクチャードＡＳＩＣとして実現できるビデオルーティング／処理ＡＳＩＣ（ＶＲＰ）１１４１など、マイクロタイル１１００のためのコア処理素子を有している。いくつかの実施形態においては、プログラマブルロジックを、ＡＳＩＣを使用する代わりに使用することができる。
【０１１８】
さらにＦＥＢ１１４０は、４つのシリアル化器−シリアル分解器（ＳｅｒＤｅｓ）１３１０の機能を有するＦＰＧＡ１３０５（図８のＰＣＳブロックに類似）を有している。ＳｅｒＤｅｓ１３１０が、マイクロタイル１１００間のデータの送信および受信を可能にする。ＳｅｒＤｅｓの各レーンは、１つの送信チャネルおよび１つの受信チャネルを含んでいる。いくつかの実施形態においては、ビデオをサポートするために、それぞれのチャネルが少なくとも２．５Ｇｂｐｓで動作する。トランスミッタは、８ｂ／１０ｂのエンコーディングを使用することができ、レシーバは、シリアル・データ・ストリーム（例えば、ビデオ信号）をデコードするために、クロックおよびデータ回収技法を使用することができる。さらに、ＦＥＢ１１４０は、ビデオデータを確実にエンコードすることができ、上述のようにブランキング期間に制御メッセージを埋め込むことができる。さらに、ＦＰＧＡ１３０５は、所望の画像処理機能をサポートすることができる。
【０１１９】
例示的な実施形態においては、ＦＰＧＡ１３０５がＣＰＵ１３１１を含んでおり、ファームウェアをフラッシュメモリ１１４２に保存することができる。シングルバンクのＤＤＲ２  ＳＤＲＡＭ１１４３を、フレームバッファならびにＣＰＵ１３１１のためのヒープ・メモリ・ストレージとして使用することができる。
【０１２０】
上述のように、ＦＥＢ１１４０の出力が、ＭＬＥ１１３０へと入力される。したがって、ＦＥＢ１１４０は、例示的な実施形態においては、自身の出力ビデオをＭＬＥ１１３０との互換性のためにフラットパネル・ディスプレイ・リンク規格へとエンコードすることができるが、使用される規格は、特に限定されない。さらに、３２ビットのマイクロプロセッサは、ＭＬＥ１１３０を制御するためのＵＡＲＴポート（図示せず）を有している。
【０１２１】
ＦＥＢ１１４０は、冷却システム１１８０、少なくとも１つの自動整列センサ１１６９、ＩＲセンサ１１５０、および電源１１７０への接続のためのさらなるコネクタを備えることができる。
【０１２２】
次に、出力ビデオをＭＬＥ１１３０への信号の出力に先立って処理するＦＥＢ１１４０の画像処理素子１３２０に注目する。処理は、通常は、画像のタイル化された用途への結合を可能にするように構成されている。
【０１２３】
第１に、受信された画像が、通常は、ＳＤＲＡＭ１１４３の一部であるフレームバッファへと保存される。これにより、送信のフレームレートを表示のフレームレートよりも小さくすることができ、さらにはきわめて高い解像度の画像を可能にすることができる。また、上記フレームバッファは、局部の拡大およびワーピングを可能にする。これに限られるわけではないが、上記フレームバッファのサイズを比較的小さく保つために、マイクロタイルユニット１１００によって表示される部分画像のみを上記フレームバッファに保存することが望ましい。
【０１２４】
画像処理素子１３２０は、さらに、表示エンジン（すなわち、ＤＭＤ１１３２）の生来の解像度に一致するよう、部分画像の再スケーリングを可能にする。画像タイルの用途においては、通常は、画像の拡大のみが使用されるが、画像の縮小も可能である。しかしながら、例示的な実施形態においては、画像の縮小は、通常は入力モジュール９’において行われる。
【０１２５】
さらに、画像処理素子１３２０は、例えば２Ｄキーストーン補正によってスケーリング後の画像の幾何学的補正（例えば、ワーピング）を可能にし、画像の回転を可能にする。ＭＬＥ１１３０が、既存のマイクロタイル１１００へと設置されるスタンドアロンのユニットであってよいため、ＭＬＥ１１３０の設置における機械的な公差によって、投影される画像が光学スクリーン１１２０に整列しない可能性がある。しかしながら、自動整列センサ１１６０からのフィードバックを使用することで、自動整列システムを、必要とされる補正を割り出すように実現することができる。自動整列システムの例（これに限られるわけではない）が、ここでの言及によって本明細書に取り入れられたものとされる２００８年３月２８日に出願されて本出願と同時に係属中である本出願の出願人の「Ａｕｔｏｍａｔｅｄ  Ｇｅｏｍｅｔｒｙ  Ｃｏｒｒｅｃｔｉｏｎ  Ｆｏｒ  Ｒｅａｒ  Ｐｒｏｊｅｃｔｉｏｎ」という米国特許出願第１２／０５８，２６０号に記載されている。
【０１２６】
スケーリング後の画像を、短焦点レンズ１２５５、対物レンズ１２５０、および／または投影光学系１３１１の幾何学ひずみについても補正することができる（すなわち、当業者に知られているとおりの糸巻き補正またはたる型補正）。しかしながら、いくつかの実施形態においては、短焦点レンズ１２５５、対物レンズ１２５０、および／または投影光学系１３１１の特徴を、校正工程（例えば、工場での）によって把握することが可能である。この特徴把握によって、ひずみを、ファームウェアによってアップロードされるパラメータを調節することによって、キーストーン補正と同じ回路で補正することができる。
【０１２７】
スケーリングおよびワーピングを、１つの操作に組み合わせることができる。この操作は、甘い画像をもたらす傾向にあるため、画像処理素子１３２０は、さらにシャープネスフィルタを備えることができる。
【０１２８】
製造の公差ゆえ、それぞれの個々のマイクロタイル１１００が、自身の固有の測色を有する可能性がある。したがって、画像処理素子１３２０は、アレイ内のそれぞれのマイクロタイル１１００の原色およびホワイトバランスを一致させることができる色補正回路を備えることができる。製造の時点において、それぞれのマイクロタイル１１００の色ポイントを測定し、不揮発性メモリに保存することができる。次いで、入力モジュール９’のマスタープロセッサが、アレイ内のそれぞれのマイクロタイルユニット１１００の測色にアクセスし、色一致の点を計算することができる。次いで、色一致の点がすべてのマイクロタイルユニット１１００へと伝達され、これに応じてマイクロタイルユニット１１００が自身の色ポイントを設定することができる。
【０１２９】
マイクロタイル１１００が古くなるにつれ、マイクロタイル１１００の明るさが徐々に低下すると考えられる。したがって、光センサ１１３４が、色ごとの方法で明るさの変化を検出することができ、これに応じてシステムの色補正を更新することができる。マイクロタイル１１００がアレイの一部であるとき、これは、アレイ内のすべてのマイクロタイル１１００がおそらくは異なる速度で古くなる（すなわち、それぞれのマイクロタイル１１００の明るさが、異なる早さで低下する）ときに、アレイの外観を均一に維持することができるようにする。
【０１３０】
また、画像処理素子１３２０は、明るさの均一性の補正を可能にすることができる。投影システムにおいて、均一性は、通常は放物線にて低下するが、均一性の正確な性質は、投影技術によってさまざまであると考えられ、具体的な補正のパラメータは、マイクロタイル１１００ごとにさまざまでありうる。したがって、均一性の補正の機能は、通常は、ＭＬＥ１１３０のために選択された光エンジン技法、ならびに光学スクリーン１１２０の性能に依存して決まる。
【０１３１】
いくつかの用途においては、アレイ内のマイクロタイル１１００から投影された画像が、重なり合う。したがって、これらの用途においては、画像処理素子１３２０が、エッジブレンディング回路をさらに有している。画像処理素子１３２０は、最終のガンマ補正回路をさらに有することができる。しかしながら、ガンマ補正における伝達関数は、通常は設定可能であり、選択されたディスプレイ技術に合わせることができる。
【０１３２】
いくつかの実施形態においては、ＦＥＢ１１４０が、画像処理素子１３２０とＭＬＥ１１３０への出力との間に位置するテストパターン回路（図示せず）をさらに有している。テストパターン回路は、校正プロセスの際にＭＬＥ１１３０によって光学スクリーン１１２０へと投影されるテストパターンを生成することができ、それらのテストパターンが、色マッチングおよび幾何学的構成のために自動整列センサ１１６０とともに使用される。
【０１３３】
テストパターンの例として、これらに限られるわけではないが、全面的な赤色、緑色、青色、白色、および／または黒色が挙げられる。いくつかの実施形態においては、テストパターンが、オーバースキャン領域（すなわち、自動整列センサ１１６０の位置）にのみ描かれてもよく、任意のサイズの矩形を含むことができる。矩形の最小サイズは、１画素×１画素であってよい。テストパターンの最大サイズは、マイクロタイル１１００の機械的／光学的設計によることができる。しかしながら、描かれる矩形は、通常は、すべての機械的および光学的なばらつきにおいて、自動整列センサが完全に照明されることが保証されるように十分に大きい。いくつかの実施形態においては、ローカルのファームウェアにテストパターンを用意することができ、テストパターンおよび校正プロセスの制御を可能にすることができる。
【０１３４】
ここで、図１１に戻ると、ＩＲセンサ１１５０が、ユーザからの入力を受け付けることができるＩＲ方式の入力装置からの入力を受け付けることによって、ユーザインターフェイスの使用を可能にする。例示的な実施形態においては、ＩＲセンサ１１５０のための搬送周波数が、４５５ｋＨｚ（または、他の任意の適切な周波数）である。対照的に、多数の民生用装置は３８ｋＨｚで動作するが、この周波数は、蛍光照明からの干渉をきわめて受けやすい。多くの高効率のバラストは、光にフリッカを生じさせる。このフリッカは、人間の眼の検出能力をはるかに超えているが、ＩＲセンサ１１６０の動作点にちょうど位置する可能性があり、３８ｋＨｚで動作しているＩＲセンサをノイズで悩ませる可能性がある。これは、マイクロタイル１１００がＩＲコマンドに応答せず、あるいは間欠的にしか応答しないという結果につながる。
【０１３５】
したがって、より高い周波数の入力装置（例えば、リモートコントローラ）およびＩＲセンサは、干渉領域を避けて良好に動作するため、４５５ｋＨｚのＩＲセンサ１１５０を使用することで、マイクロタイル１１００を幅広い範囲の環境において使用できるようになる。
【０１３６】
さらに、それぞれのマイクロタイル１１００は、マイクロタイル１１００が公共の空間に設置される可能性に鑑み、許可のない者が設定（例えば、アレイおよび／またはマイクロタイル１１００の構成）を制御または変更することがないように、セキュリティを提供することができる。セキュリティの提供の一例（これに限られるわけではない）として、ＯＳＤを介して入力できるパスワードが挙げられる。
【０１３７】
この実施形態における電源１１７０は、任意の適切な電圧範囲および周波数を受け付けることができ、例示的な実施形態においては、１００Ｖ〜２４０Ｖの範囲で、５０Ｈｚ〜６０Ｈｚの周波数である。上述のように、電源１１７０の出力は、＋１２Ｖおよび−１２Ｖである。他の電圧を必要とするすべての電子機器は、それらの電圧を、上述のようにＤＣ−ＤＣ変換器を使用してその場で生成する。しかしながら、他の任意の適切な電源１１７０も、これらの実施形態の範囲に含まれる。
【０１３８】
冷却システム１１８０が、通常は、所与の温度に達した場合に性能が低下したり、あるいは機能しなくなったりする可能性があるマイクロタイル１１００の構成要素の冷却を可能にする。冷却システム１１８０は、通常は静かであり、冷却が必要とされるときにのみ動作することができる。実際、マイクロタイル１１００のいくつかの実施形態は、冷却が不要であると予想されるのであれば、冷却システムを全く有していなくてもよい。しかしながら、例示的な実施形態においては、冷却システム１１８０が、ＦＥＢ１１４０によって制御されるファン、例えば１２Ｖのファンを有している。ファンの速度を、冷却の必要性および／または周囲の状況を監視するための任意の温度センサ（図示せず）に基づいて、制御することができる。そのような実施形態においては、温度センサが、ＦＥＢ１１４０と通信する。
【０１３９】
次に、信号ハーネス５’に戻ると、ビデオ信号において使用される高いデータ伝送レートにおいては、クロストークの確率が高くなりうる。クロストークとは、ハーネス内の隣接する導体間の電磁界の結合を指す。したがって、信号ハーネス５’においてクロストークが生じた場合、信号ハーネス５’を通過する信号のうちの１つが、１つ以上の隣の信号によって乱される可能性がある。これが生じると、ノイズの多いビデオという結果につながる。極端な場合には、同期が失われ、結果としてビデオ画像のジャンプにつながる。したがって、いくつかの実施形態においては、信号ハーネス５’を、導体を接地された導電シールドで個々に遮蔽することによって、クロストークに対抗するようにすることができる。これは、電磁界の中に電磁界を含み、結合を防ぎ、したがってクロストークを防止する。
【０１４０】
信号ハーネス５’における第２の懸念は、ＥＭＩである。単一のマイクロタイル１１００の放射のレベルは低いと考えられるが、多数のマイクロタイル１１００が（例えば、図９のように）アレイへと組み合わせられる場合、全体としてのＥＭＩがかなりの大きさになりうる。信号ハーネス５’のようなハーネス類、特に外部のハーネス類は、生得的にアンテナのような構造であり、ＥＭＩの源に最もなりやすい。したがって、信号ハーネス５’を遮蔽することによって、ハーネスからのＥＭＩ放射を生じるようにすることができる。
【０１４１】
信号ハーネス５’における第３の懸念は、信号ハーネス５’を形成してデータ信号を通過させるケーブルにおけるインピーダンスの整合である。しかしながら、ケーブルの品質のばらつきが、インピーダンスの不整合ならびに差動信号のアンバランスな性能を含むデータ信号の品質低下につながりうる。例えば、ツイストペアが使用される場合に、ケーブルの一部において、１インチ当たりのツイストの回数が少なくなる可能性がある。アレイがデイジーチェーンで接続されている点に鑑み、信号の障害はアレイの全体へと伝搬する。したがって、アレイ内の構成要素のうちの少なくとも１つ（例えば、マイクロタイル１１０および／または入力ユニット９’）が、不良のケーブルの隔離を助けるためのエラーチェック技法を可能にすることができる。
【０１４２】
信号ハーネス５’における第４の懸念は、クロスオーバーである。直線状のケーブルにおいて、配線は１対１であり、一端のピン１が他端のピン１へと接続され、一端のピン２が他端のピン２へと接続され、以下同様である。クロスオーバーケーブルにおいては、出力が入力へと直接接続されるように、ケーブルの一端のピン１を、例えば他端のピン２へと接続することができ、ピン２をピン１へと接続することができ、対称に作られているならば、ケーブルをどちら向きでも差し込むことが可能である。このような構成においては、或る１つのマイクロタイル１１００の出力を、別のユニットへの入力に接続することができる（すなわち、信号ポート９２０が接続される）。したがって、いくつかの実施形態においては、１つの信号ポート９２０を専用の入力ポートとし、第２の信号ポート９２０を専用の出力ポートとすることによって、さらには／あるいはクロスオーバーを信号ハーネス５’のケーブルに作り込むことによって、これに対処することができる。
【０１４３】
いくつかの実施形態においては、信号ハーネス５’が、クロスオーバーのＣＡＴ６ケーブルを含んでいるが、他の任意の適切なケーブルも、これらの実施形態の範囲に含まれる。
【０１４４】
入力モジュール９’の信号ルーティングの枠組みは、例えば図７に示したビデオルーティング／処理モジュールと同様のビデオルーティング／処理モジュールにおいて図１３に示したＦＥＢ１１３０の信号ルーティングの枠組みと同様であってよい。しかしながら、図１３に示したとおり、入力モジュール９’は、入力処理モジュール１３６０へと接続された少なくとも１つのデータ入力ポート９３０を備えている。
【０１４５】
例示的な実施形態においては、入力モジュール９’の出力が、ＨＳｙｎｃ、ＶＳｙｎｃ、およびＡｃｔＤａｔａのタイミングストローブを有する２４ビットのＲＧＢプログレッシブ走査ビデオである。ソースビデオがインターレースされている場合、入力モジュール９’によって、例えば入力処理モジュール１３６０を介してプログレッシブへと変換される。ソースがＹＰｒＰｂでエンコードされている場合には、ＲＧＢへと変換される。
【０１４６】
いくつかの実施形態においては、アレイが放送を表示するために使用される場合に、入力モジュール９’を、初期設定によってフレーム固定モードで動作できるようにすることができる。これらの用途においては、画像が、所定のビデオレート（ＰＡＬの５０Ｈｚ、またはＮＴＳＣの５９．９４Ｈｚ）で撮影されている。アーチファクトを防止するために、アレイ内のマイクロタイル１’が同じレートで動作することが望ましい。ＭＬＥ１１３０が入力されるフレームレートをサポートできない場合には、フレームレートの変換を、例えばフレーム挿入／削除によって実行することができる。これに限られるわけではないが、入力フレームレートの整数倍または約数を使用することが望ましい。利用できる整数倍または約数がサポートされていない場合には、ＭＬＥ１１３０の最小のフレームレートを使用することができる。
【０１４７】
当業者であれば、上述の実施形態を実現することができるさらに多数の代案の実施例および変更が存在し、上述した実装および実施例が１つ以上の実施形態の例示にすぎないことを、理解できるであろう。したがって、技術的範囲は、添付の特許請求の範囲によってのみ限定される。
【図１】
0005653985.tif 000002
【図２】
0005653985.tif 000003
【図３Ａ】
0005653985.tif 000004
【図３Ｂ】
0005653985.tif 000005
【図４Ａ】
0005653985.tif 000006
【図４Ｂ】
0005653985.tif 000007
【図４Ｃ】
0005653985.tif 000008
【図５】
0005653985.tif 000009
【図６Ａ】
0005653985.tif 000010
【図６Ｂ】
0005653985.tif 000011
【図７】
0005653985.tif 000012
【図８】
0005653985.tif 000013
【図９】
0005653985.tif 000014
【図１０】
0005653985.tif 000015
【図１１】
0005653985.tif 000016
【図１２】
0005653985.tif 000017
【図１３】
0005653985.tif 000018
【図１４】
0005653985.tif 000019
【図１５】
0005653985.tif 000020